(57)【要約】本開示の実施例によるデータ伝送方法において、所定のアプリケーションシナリオ及び／又は上位層指示情報に基づいて決定される第１パラメータに基づいてスクランブル系列を生成することと、生成されたスクランブル系列で下り制御情報ＤＣＩをスクランブルすることと、スクランブルされた前記ＤＣＩを端末機器に送信することとを含む。【選択図】  図１
2021510258.tif 000002
【特許請求の範囲】
【請求項１】
ネットワーク機器に応用されるデータ伝送方法において、
所定のアプリケーションシナリオ及び／又は上位層指示情報に基づいて決定される第１パラメータに基づいてスクランブル系列を生成することと、
生成されたスクランブル系列で下り制御情報ＤＣＩをスクランブルすることと、
スクランブルされた前記ＤＣＩを端末機器に送信することとを含む、データ伝送方法。
【請求項２】
前記第１パラメータは、無線ネットワーク一時識別ＲＮＴＩを含む、請求項１に記載のデータ伝送方法。
【請求項３】
スクランブル識別が設定されている場合、前記第１パラメータは、前記スクランブル識別を更に含む、請求項２に記載のデータ伝送方法。
【請求項４】
第１パラメータに基づいてスクランブル系列を生成することは、
2021510258.tif 000066
（ここで、ｃｉｎｉｔｓｃｒａｍｂｌｅは、前記スクランブル系列を初期化するための２進数を示し、ｎＲＮＴＩは、前記ＲＮＴＩを示し、前記ｎＩＤは、前記スクランブル識別を示す）の１つに従ってｃｉｎｉｔｓｃｒａｍｂｌｅを算出することと、
算出したｃｉｎｉｔｓｃｒａｍｂｌｅから前記スクランブル系列を生成することとを含む、請求項３に記載のデータ伝送方法。
【請求項５】
第１パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む、請求項３に記載のデータ伝送方法。
【請求項６】
前記第１パラメータが前記ＣＯＲＥＳＥＴ識別を含む場合、第１パラメータに基づいてスクランブル系列を生成することは、
2021510258.tif 000067
（ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＣＯＲＥＳＥＴは、前記ＣＯＲＥＳＥＴ識別を示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項５に記載のデータ伝送方法。
【請求項７】
前記第１パラメータが前記ｓｅａｒｃｈ  ｓｐａｃｅ識別を含む場合、
第１パラメータに基づいてスクランブル系列を生成することは、
2021510258.tif 000068
（ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＳＳは、前記ｓｅａｒｃｈ  ｓｐａｃｅ識別を示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項５に記載のデータ伝送方法。
【請求項８】
前記第１パラメータが前記スロットの無線フレーム内又は無線サブフレーム内のインデックスと前記ＯＦＤＭシンボルのインデックスを含む場合、第１パラメータに基づいてスクランブル系列を生成することは、
2021510258.tif 000069
（ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項５に記載のデータ伝送方法。
【請求項９】
前記第１パラメータは、前記ＤＣＩの時間領域情報と、前記端末機器が在圏するセルの物理セル識別ＰＣＩとを更に含む、請求項２に記載のデータ伝送方法。
【請求項１０】
第１パラメータに基づいてスクランブル系列を生成することは、
2021510258.tif 000070
（ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記ＤＣＩを送信するためのスロットの無線フレーム内又は無線サブフレーム内のインデックスを示し、ｌは、前記ＤＣＩを送信するためのＯＦＤＭシンボルのインデックスを示し、ＮＩＤｃｅｌｌは、前記ＰＣＩを示す）に従ってｃｉｎｉｔｓｃｒａｍｂｌｅを算出することと、
算出したｃｉｎｉｔｓｃｒａｍｂｌｅから前記スクランブル系列を生成することとを含む、請求項９に記載のデータ伝送方法。
【請求項１１】
所定のアプリケーションシナリオ及び／又は上位層指示情報に基づいて決定される第２パラメータに基づいて復調参照信号ＤＭＲＳ系列を生成することと、
前記ＤＭＲＳ系列を用いて前記端末機器にデータを送信することとを更に含む、請求項１〜１０のいずれか１項に記載のデータ伝送方法。
【請求項１２】
スクランブル識別が設定されている場合、前記第２パラメータは、前記スクランブル識別を含む、請求項１１に記載のデータ伝送方法。
【請求項１３】
前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む、請求項１２に記載のデータ伝送方法。
【請求項１４】
前記所定のシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含み、
前記上位層指示情報は、具体的には、バンド許可タイプ、スクランブル識別が設定されるか否か、スクランブル識別が設定されている場合の少なくとも１つの前記第１パラメータ、スクランブル識別が設定されない場合の少なくとも１つの前記第１パラメータの少なくとも１つを含む、請求項１〜１３のいずれか１項に記載のデータ伝送方法。
【請求項１５】
前記第１パラメータは、前記第１パラメータのうちの少なくとも１つが、前記上位層指示情報によってセルに基づいて設定される設定方式、前記第１パラメータのうち少なくとも１つが、前記上位層指示情報によって搬送波に基づいて設定される設定方式、前記第１パラメータのうち少なくとも１つが、前記上位層指示情報によって帯域幅タイプに基づいて設定される設定方式、前記第１パラメータのうちの少なくとも１つが、前記上位層指示情報によってＣＯＲＥＳＥＴに基づいて設定される方式の少なくとも一つの設定方式を満たす、請求項１〜１４のいずれか１項に記載のデータ伝送方法。
【請求項１６】
ネットワーク機器に応用されるデータ伝送方法において、
所定のアプリケーションシナリオ及び／又は上位層指示情報に基づいて決定される第２パラメータに基づいて復調参照信号ＤＭＲＳ系列を生成することと、
前記ＤＭＲＳ系列を用いて前記端末機器にデータを送信することとを含む、データ伝送方法。
【請求項１７】
スクランブル識別が設定されている場合、前記第２パラメータは、前記スクランブル識別を含む、請求項１６に記載のデータ伝送方法。
【請求項１８】
前記第２パラメータに基づいて前記ＤＭＲＳ系列を生成することは、具体的には、
ｃｉｎｉｔＤＭＲＳ＝ｎＩＤ（ここで、ｃｉｎｉｔＤＭＲＳは、前記ＤＭＲＳ系列を初期化するための２進数を示し、ｎＩＤは、前記スクランブル識別を示す）に従ってｃｉｎｉｔＤＭＲＳを算出することを含む、請求項１７に記載のデータ伝送方法。
【請求項１９】
前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む、請求項１７に記載のデータ伝送方法。
【請求項２０】
前記第２パラメータが前記ＣＯＲＥＳＥＴ識別を含む場合、前記第２パラメータに基づいて前記ＤＭＲＳ系列を生成することは、
2021510258.tif 000071
（ここで、ｃｉｎｉｔＤＭＲＳは、前記ＤＭＲＳ系列を初期化するための２進数を示し、ｎＩＤＣＯＲＥＳＥＴは、前記ＣＯＲＥＳＥＴ識別を示し、ｎＩＤは、前記スクランブル識別を示す）に従ってｃｉｎｉｔＤＭＲＳを算出することと、
算出したｃｉｎｉｔＤＭＲＳから前記ＤＭＲＳ系列を生成することとを含む、請求項１９に記載のデータ伝送方法。
【請求項２１】
前記第２パラメータが前記ｓｅａｒｃｈ  ｓｐａｃｅ識別を含む場合、前記第２パラメータに基づいて前記ＤＭＲＳ系列を生成することは、具体的には、
2021510258.tif 000072
（ここで、ｃｉｎｉｔＤＭＲＳは、前記ＤＭＲＳ系列を初期化するための２進数を示し、ｎＩＤＳＳは、前記ＯＦＤＭシンボルのインデックスを示し、ｎＩＤは、前記スクランブル識別を示す）に従ってｃｉｎｉｔＤＭＲＳを算出することを含む、請求項１９に記載のデータ伝送方法。
【請求項２２】
前記第２パラメータが前記スロットの無線フレーム内又は無線サブフレーム内のインデックスと前記ＯＦＤＭシンボルのインデックスを含む場合、前記第２パラメータに基づいて前記ＤＭＲＳ系列を生成することは、
2021510258.tif 000073
（ここで、ｃｉｎｉｔＤＭＲＳは、前記ＤＭＲＳ系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す）に従ってｃｉｎｉｔＤＭＲＳを算出することを含む、請求項１６に記載のデータ伝送方法。
【請求項２３】
前記第２パラメータは、ＰＣＩとＤＭＲＳの時間領域情報を含む、請求項１６に記載のデータ伝送方法。
【請求項２４】
前記第２パラメータに基づいて前記ＤＭＲＳ系列を生成することは、
2021510258.tif 000074
（ここで、ｃｉｎｉｔＤＭＲＳは、前記ＤＭＲＳ系列を初期化するための２進数を示し、ｎｓは、前記ＤＣＩを送信するためのスロットの無線フレーム内又は無線サブフレーム内のインデックスを示し、ｌは、前記ＤＭＲＳ系列を送信するための所定のＯＦＤＭシンボルのインデックスを示し、ＮＩＤｃｅｌｌは、前記ＰＣＩを示す）に従ってｃｉｎｉｔＤＭＲＳを算出することと、
算出したｃｉｎｉｔＤＭＲＳから前記ＤＭＲＳ系列を生成することとを含む、請求項２３に記載のデータ伝送方法。
【請求項２５】
前記第２パラメータを前記端末機器に送信することを更に含む、請求項１６〜２４のいずれか１項に記載のデータ伝送方法。
【請求項２６】
前記所定のシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含み、
前記上位層指示情報は、具体的には、バンド許可タイプ、スクランブル識別が設定されるか否か、スクランブル識別が設定されている場合の少なくとも１つの前記第１パラメータ、スクランブル識別が設定されない場合の少なくとも１つの前記第１パラメータの少なくとも１つを含む、請求項１６〜２５のいずれか１項に記載のデータ伝送方法。
【請求項２７】
端末機器に応用されるデスクランブル方法において、
所定のアプリケーションシナリオ又はネットワーク機器の指示情報に基づいて決定される第１パラメータに基づいてスクランブル系列を生成することと、
受信したスクランブルされた下り制御情報ＤＣＩを、生成されたスクランブル系列でデスクランブルすることとを含む、デスクランブル方法。
【請求項２８】
前記第１パラメータは、無線ネットワーク一時識別ＲＮＴＩを含む、請求項２７に記載のデスクランブル方法。
【請求項２９】
スクランブル識別が設定されている場合、前記第１パラメータは、前記スクランブル識別を更に含む、請求項２８に記載のデスクランブル方法。
【請求項３０】
第１パラメータに基づいてスクランブル系列を生成することは、
2021510258.tif 000075
（ここで、ｃｉｎｉｔｓｃｒａｍｂｌｅは、前記スクランブル系列を初期化するための２進数を示し、ｎＲＮＴＩは、前記ＲＮＴＩを示し、前記ｎＩＤは、前記スクランブル識別を示す）の１つに従ってｃｉｎｉｔｓｃｒａｍｂｌｅを算出することと、
算出したｃｉｎｉｔｓｃｒａｍｂｌｅから前記スクランブル系列を生成することとを含む、請求項２９に記載のデスクランブル方法。
【請求項３１】
前記第１パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む、請求項３０に記載のデスクランブル方法。
【請求項３２】
前記第１パラメータが前記ＣＯＲＥＳＥＴ識別を含む場合、第１パラメータに基づいてスクランブル系列を生成することは、
2021510258.tif 000076
（ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＣＯＲＥＳＥＴは、前記ＣＯＲＥＳＥＴ識別を示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３１に記載のデスクランブル方法。
【請求項３３】
前記第１パラメータが前記ｓｅａｒｃｈ  ｓｐａｃｅ識別を含む場合、
第１パラメータに基づいてスクランブル系列を生成することは、具体的には、
2021510258.tif 000077
（ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＳＳは、前記ｓｅａｒｃｈ  ｓｐａｃｅ識別を示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３１に記載のデスクランブル方法。
【請求項３４】
前記第１パラメータが前記スロットの無線フレーム内又は無線サブフレーム内のインデックスと前記ＯＦＤＭシンボルのインデックスを含む場合、第１パラメータに基づいてスクランブル系列を生成することは、具体的には、
2021510258.tif 000078
（ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３１に記載のデスクランブル方法。
【請求項３５】
前記第１パラメータは、前記ＤＣＩの時間領域情報と、前記端末機器が在圏するセルの物理セル識別ＰＣＩとを更に含む、請求項２８に記載のデスクランブル方法。
【請求項３６】
第１パラメータに基づいてスクランブル系列を生成することは、具体的には、
2021510258.tif 000079
（ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記ＤＣＩを送信するためのスロットの無線フレーム内又は無線サブフレーム内のインデックスを示し、ｌは、前記ＤＣＩを送信するためのＯＦＤＭシンボルのインデックスを示し、ＮＩＤｃｅｌｌは、前記ＰＣＩを示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３５に記載のデスクランブル方法。
【請求項３７】
所定のアプリケーションシナリオ又はネットワーク機器の指示情報に基づいて決定される第２パラメータに基づいて復調参照信号ＤＭＲＳ系列を生成することと、
受信したデータ信号を前記ＤＭＲＳ系列で復調して、前記スクランブルされたＤＣＩを得ることとを更に含む、請求項２７〜３６のいずれか１項に記載のデスクランブル方法。
【請求項３８】
端末機器に応用される復調方法において、
所定のアプリケーションシナリオ又はネットワーク機器の指示情報に基づいて決定される第２パラメータに基づいて復調参照信号ＤＭＲＳ系列を生成することと、
受信したデータ信号を前記ＤＭＲＳ系列で復調して、前記スクランブルされたＤＣＩを得ることとを含む、復調方法。
【請求項３９】
スクランブル識別が設定されている場合、前記第２パラメータは、具体的には、前記スクランブル識別を含む、請求項３８に記載の復調方法。
【請求項４０】
前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む、請求項３９に記載の復調方法。
【請求項４１】
前記第２パラメータは、具体的には、ＰＣＩとＤＭＲＳの時間領域情報を含む、請求項３８に記載の復調方法。
【請求項４２】
所定のアプリケーションシナリオ及び／又は上位層指示情報に基づいて決定される第１パラメータに基づいてスクランブル系列を生成するための系列生成ユニットと、
生成されたスクランブル系列で下り制御情報ＤＣＩをスクランブルするためのスクランブルユニットと、
スクランブルされた前記ＤＣＩを端末機器に送信するための送信ユニットとを含む、ネットワーク機器。
【請求項４３】
所定のアプリケーションシナリオ及び／又は上位層指示情報に基づいて決定される第２パラメータに基づいて復調参照信号ＤＭＲＳ系列を生成するための系列生成ユニットと、
前記ＤＭＲＳ系列を用いて前記端末機器にデータを送信するための送信ユニットとを含む、ネットワーク機器。
【請求項４４】
所定のアプリケーションシナリオ又はネットワーク機器の指示情報に基づいて決定される第１パラメータに基づいてスクランブル系列を生成するための生成ユニットと、
受信したスクランブルされた下り制御情報ＤＣＩを、生成されたスクランブル系列でデスクランブルするためのデスクランブルユニットとを含む、端末機器。
【請求項４５】
所定のアプリケーションシナリオ又はネットワーク機器の指示情報に基づいて決定される第２パラメータに基づいて復調参照信号ＤＭＲＳ系列を生成するための生成ユニットと、
受信したデータ信号を前記ＤＭＲＳ系列で復調して、前記スクランブルされたＤＣＩを得るための復調ユニットとを含む、端末機器。
【請求項４６】
メモリと、プロセッサと、前記メモリに記憶され、前記プロセッサで動作するコンピュータプログラムとを含むネットワーク機器であって、
前記コンピュータプログラムが前記プロセッサによって実行されると、請求項１〜２６のいずれか１項に記載のデータ伝送方法のステップが実現される、ネットワーク機器。
【請求項４７】
メモリと、プロセッサと、前記メモリに記憶され、前記プロセッサで動作するコンピュータプログラムとを含む端末機器であって、
前記コンピュータプログラムが前記プロセッサによって実行されると、請求項２７〜３７のいずれか１項に記載のデスクランブル方法のステップが実現され、又は、請求項３８〜４１のいずれか１項に記載の復調方法のステップが実現される、端末機器。
【請求項４８】
コンピュータプログラムが記憶されているコンピュータ読み取り可能な媒体であって、
前記コンピュータプログラムがプロセッサによって実行されると、請求項１〜２６のいずれか１項に記載のデータ伝送方法のステップが実現され、又は、請求項２７〜３７のいずれか１項に記載のデスクランブル方法のステップが実現され、又は、請求項３８〜４１のいずれか１項に記載の復調方法のステップが実現される、コンピュータ読み取り可能な媒体。
【発明の詳細な説明】
【技術分野】
【０００１】
本願は、２０１８年１月１２日に中国特許庁に提出された中国特許出願２０１８１００３２４２３．Ｘの優先権を主張し、その全ての内容が援用によりここに取り込まれる。
本開示は、通信技術分野に係り、特にデータ伝送方法、デスクランブル方法、復調方法及び機器に係る。
【背景技術】
【０００２】
下り制御情報（Ｄｏｗｎｌｉｎｋ  Ｃｏｎｔｒｏｌ  Ｉｎｆｏｒｍａｔｉｏｎ：ＤＣＩ）は、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）で搬送される。ロングタームエボリューション（Ｌｏｎｇ  Ｔｅｒｍ  Ｅｖｏｌｕｔｉｏｎ：ＬＴＥ）などの無線アクセス技術の規格によれば、ＤＣＩを送信する前にＤＣＩをスクランブルする必要がある。
【発明の概要】
【発明が解決しようとする課題】
【０００３】
関連技術において、スクランブル系列を生成するための１つの方法しか提供されず、生成されたスクランブル系列は、新規無線（Ｎｅｗ  Ｒａｄｉｏ：ＮＲ）システムにおける複雑で変化の多いデータ伝送シナリオでのデータ伝送要件に適用できない可能性があるという問題点がある。
【課題を解決するための手段】
【０００４】
第１方面において、本開示の実施例は、ネットワーク機器に応用されるデータ伝送方法を提供する。この方法において、所定のアプリケーションシナリオ及び／又は上位層指示情報に基づいて決定される第１パラメータに基づいてスクランブル系列を生成することと、生成されたスクランブル系列で下り制御情報ＤＣＩをスクランブルすることと、スクランブルされた前記ＤＣＩを端末機器に送信することとを含む。
【０００５】
第２方面において、本開示の実施例は、ネットワーク機器に応用されるデータ伝送方法を提供する。この方法において、所定のアプリケーションシナリオ及び／又は上位層指示情報に基づいて決定される第２パラメータに基づいて復調参照信号ＤＭＲＳ系列を生成することと、前記ＤＭＲＳ系列を用いて前記端末機器にデータを送信することとを含む。
【０００６】
第３方面において、本開示の実施例は、端末機器に応用されるデスクランブル方法を提供する。この方法において、所定のアプリケーションシナリオ又はネットワーク機器の指示情報に基づいて決定される第１パラメータに基づいてスクランブル系列を生成することと、受信したスクランブルされた下り制御情報ＤＣＩを、生成されたスクランブル系列でデスクランブルすることとを含む。
【０００７】
第４方面において、本開示の実施例は、端末機器に応用される復調方法を提供する。この方法において、所定のアプリケーションシナリオ又はネットワーク機器の指示情報に基づいて決定される第２パラメータに基づいて復調参照信号ＤＭＲＳ系列を生成することと、受信したデータ信号を前記ＤＭＲＳ系列で復調して、スクランブルされたＤＣＩを得ることとを含む。
【０００８】
第５方面において、本開示の実施例は、ネットワーク機器を提供する。このネットワーク機器は、所定のアプリケーションシナリオ及び／又は上位層指示情報に基づいて決定される第１パラメータに基づいてスクランブル系列を生成するための系列生成ユニットと、生成されたスクランブル系列で下り制御情報ＤＣＩをスクランブルするためのスクランブルユニットと、スクランブルされた前記ＤＣＩを端末機器に送信するための送信ユニットとを含む。
【０００９】
第６方面において、本開示の実施例は、ネットワーク機器を提供する。このネットワーク機器は、所定のアプリケーションシナリオ及び／又は上位層指示情報に基づいて決定される第２パラメータに基づいて復調参照信号ＤＭＲＳ系列を生成するための系列生成ユニットと、前記ＤＭＲＳ系列を用いて前記端末機器にデータを送信するための送信ユニットとを含む。
【００１０】
第７方面において、本開示の実施例は、端末機器を提供する。この端末機器は、所定のアプリケーションシナリオ又はネットワーク機器の指示情報に基づいて決定される第１パラメータに基づいてスクランブル系列を生成するための生成ユニットと、受信したスクランブルされた下り制御情報ＤＣＩを、生成されたスクランブル系列でデスクランブルするためのデスクランブルユニットとを含む。
【００１１】
第８方面において、本開示の実施例は、端末機器を提供する。この端末機器は、所定のアプリケーションシナリオ又はネットワーク機器の指示情報に基づいて決定される第２パラメータに基づいて復調参照信号ＤＭＲＳ系列を生成するための生成ユニットと、受信したデータ信号を前記ＤＭＲＳ系列で復調して、スクランブルされたＤＣＩを得るための復調ユニットとを含む。
【００１２】
第９方面において、本開示の実施例は、ネットワーク機器を提供する。このネットワーク機器は、プロセッサと、メモリと、前記メモリに記憶され、前記プロセッサで動作するコンピュータプログラムとを含む。前記コンピュータプログラムが前記プロセッサによって実行されると、第１方面に記載の方法のステップが実現される。
【００１３】
第１０方面において、本開示の実施例は、コンピュータプログラムが記憶されているコンピュータ読み取り可能な記憶媒体を提供する。前記コンピュータプログラムがプロセッサによって実行されると、第１方面に記載の方法のステップが実現される。
【００１４】
第１１方面において、本開示の実施例は、ネットワーク機器を提供する。このネットワーク機器は、プロセッサと、メモリと、前記メモリに記憶され、前記プロセッサで動作するコンピュータプログラムとを含む。前記コンピュータプログラムが前記プロセッサによって実行されると、第２方面に記載の方法のステップが実現される。
【００１５】
第１２方面において、本開示の実施例は、コンピュータプログラムが記憶されているコンピュータ読み取り可能な記憶媒体を提供する。前記コンピュータプログラムがプロセッサによって実行されると、第２方面に記載の方法のステップが実現される。
【００１６】
第１３方面において、本開示の実施例は、ネットワーク機器を提供する。このネットワーク機器は、プロセッサと、メモリと、前記メモリに記憶され、前記プロセッサで動作するコンピュータプログラムとを含む。前記コンピュータプログラムが前記プロセッサによって実行されると、第３方面に記載の方法のステップが実現される。
【００１７】
第１４方面において、本開示の実施例は、コンピュータプログラムが記憶されているコンピュータ読み取り可能な記憶媒体を提供する。前記コンピュータプログラムがプロセッサによって実行されると、第３方面に記載の方法のステップが実現される。
【００１８】
第１５方面において、本開示の実施例は、端末機器を提供する。この端末機器は、プロセッサと、メモリと、前記メモリに記憶され、前記プロセッサで動作するコンピュータプログラムとを含む。前記コンピュータプログラムが前記プロセッサによって実行されると、第４方面に記載の方法のステップが実現される。
【００１９】
第１６方面において、本開示の実施例は、コンピュータプログラムが記憶されているコンピュータ読み取り可能な記憶媒体を提供する。前記コンピュータプログラムがプロセッサによって実行されると、第４方面に記載の方法のステップが実現される。
【００２０】
本開示の実施例の技術手段をより明確に説明するために、本開示の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【図面の簡単な説明】
【００２１】
【図１】本開示の１つの実施例によるデータ伝送方法のフローチャートである。
【図２】本開示の他の実施例によるデータ伝送方法のフローチャートである。
【図３】本開示の他の実施例によるデスクランブル方法のフローチャートである。
【図４】本開示の他の実施例による復調方法のフローチャートである。
【図５】本開示の１つの実施例によるネットワーク機器の構造図である。
【図６】本開示の他の実施例によるネットワーク機器の構造図である。
【図７】本開示の１つの実施例による端末機器の構造図である。
【図８】本開示の他の実施例による端末機器の構造図である。
【図９】本開示の１つの実施例によるネットワーク機器の構造図である。
【図１０】本開示の他の実施例によるネットワーク機器の構造図である。
【図１１】本開示の１つの実施例による端末機器の構造図である。
【図１２】本開示の他の実施例による端末機器の構造図である。
【発明を実施するための形態】
【００２２】
以下、本願の実施例の図面を参照しながら、本願の実施例の技術手段を明確且つ完全的に記載する。明らかに、記載する実施例は、本願の実施例の一部であり、全てではない。本願の実施例に基づき、当業者が創造性のある作業をすることなく為しえる全ての他の実施例は、いずれも本開示の保護範囲に属するものである。ここで、「及び／又は」は、連結対象の少なくとも１つを示す。
【００２３】
本開示の技術手段は、例えば、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）システム、ＬＴＥ（Ｌｏｎｇ  Ｔｅｒｍ  Ｅｖｏｌｕｔｉｏｎ）／ＬＴＥ−Ａ（Ｌｏｎｇ  Ｔｅｒｍ  Ｅｖｏｌｕｔｉｏｎ−ａｄｖａｎｃｅｄ）システム、ＮＢ−ＩＯＴ（Ｎａｒｒｏｗ  Ｂａｎｄ  Ｉｎｔｅｒｎｅｔ  ｏｆ  Ｔｈｉｎｇｓ）システム、ＭＴＣ（Ｍａｃｈｉｎｅ−Ｔｙｐｅ  Ｃｏｍｍｕｎｉｃａｔｉｏｎ）システム、ＮＲ（Ｎｅｗ  Ｒａｄｉｏ）システムなどの様々な通信システムに応用できることが理解されるべきである。
【００２４】
移動端末（Ｍｏｂｉｌｅ  Ｔｅｒｍｉｎａｌ）、移動ユーザ機器などとも呼ばれるＵＥ（Ｕｓｅｒ  Ｅｑｕｉｐｍｅｎｔ）は、無線アクセスネットワーク（例えばＲＡＮ（Ｒａｄｉｏ  Ａｃｃｅｓｓ  Ｎｅｔｗｏｒｋ））を介して１つ以上のコアネットワークと通信することができる。ユーザ機器は、移動電話（又は「セルラ」電話と呼ばれる）などの移動端末、及び、移動端末を有するコンピュータであり、例えば携帯型、ポケット型、ハンドヘルド型、コンピュータ内蔵型又は車載型のモバイルデバイスであり、無線アクセスネットワークと言語及び／又はデータを交換する。
【００２５】
ネットワーク機器は、端末機器に無線通信機能を提供するために無線アクセスネットワークに配備される装置である。前記ネットワーク機器は、基地局である。前記基地局は、ＧＳＭ又はＣＤＭＡの基地局（ＢＴＳ（Ｂａｓｅ  Ｔｒａｎｓｃｅｉｖｅｒ  Ｓｔａｔｉｏｎ））であってもよく、ＷＣＤＭＡの基地局（ＮｏｄｅＢ）であってもよく、ＬＴＥの進化型基地局（ｅＮＢ又はｅ−ＮｏｄｅＢ、ｅｖｏｌｕｔｉｏｎａｌ  Ｎｏｄｅ  Ｂ）及び５Ｇ基地局（ｇＮＢ）であってもよい。
【００２６】
以下、本開示の各実施例の技術手段を図面に基づいて詳細に説明する。
【００２７】
図１は、本開示の１つの実施例によるデータ伝送方法を示す。この方法は、ネットワーク機器に応用可能である。図１に示すように、この方法は、以下のステップを含む。
【００２８】
ステップ１１において、第１パラメータに基づいてスクランブル系列を生成する。前記第１パラメータは、所定のアプリケーションシナリオ及び／又は上位層指示情報に基づいて決定される。
【００２９】
本開示の実施例において、前記第１パラメータは、スクランブル系列を生成するためのパラメータを指す。
【００３０】
例えば、第１パラメータは、２進数を生成するためのパラメータを含むが、それに限られない。この２進数は、通常、Ｇｏｌｄ系列を初期化してスクランブル系列を得るための２進数を指す。
【００３１】
前記所定のアプリケーションシナリオは、第１パラメータの決定に用いられる様々な所定のアプリケーションシナリオを含む。
【００３２】
例えば、前記所定のアプリケーションシナリオは、下記シナリオのうちの少なくとも１つを含む。
１．ＤＣＩが許可バンドで送信されるシナリオ：
このシナリオでは、第１パラメータが例えばＲＮＴＩを含むと決定できる。スクランブル識別が設定されている場合、第１パラメータが例えばＲＮＴＩとスクランブル識別を含むと決定することもできる。もちろん、スクランブル識別が設定されている場合、第１パラメータがＲＮＴＩと、スクランブル識別とは異なる他のパラメータを含むと決定することもできる。前記他のパラメータは、例えば、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを含む。
２．ＤＣＩが無許可バンドで送信されるシナリオ：
このシナリオでは、第１パラメータが例えばＲＮＴＩを含むと決定できる。スクランブル識別が設定されている場合、第１パラメータが例えばＲＮＴＩとスクランブル識別を含むと決定することもできる。もちろん、スクランブル識別が設定されている場合、第１パラメータがＲＮＴＩと、スクランブル識別とは異なる他のパラメータ（前記の他のパラメータ）を含むと決定することもできる。
３．第１パラメータがスクランブル識別を含むシナリオ：
このシナリオでは、第１パラメータが例えばＲＮＴＩを含むと決定でき、又は、ＲＮＴＩとスクランブル識別を含むと決定できる。もちろん、ＲＮＴＩ、スクランブル識別及び前記他のパラメータを含んでもよい。
４．第１パラメータがスクランブル識別を含まないシナリオ：
このシナリオでは、第１パラメータが例えばＲＮＴＩを含み、又は、ＲＮＴＩとＰＣＩを含み、又は、ＲＮＴＩ、ＰＣＩ及び前記他のパラメータを含むと決定できる。
【００３３】
前記上位層指示情報は、第１パラメータの決定に用いられる様々な上位層指示情報を含む。
【００３４】
例えば、前記上位層指示情報は、バンド許可タイプの情報、スクランブル識別が設定されているかを示す情報、スクランブル識別が設定されている場合の少なくとも１つの前記第１パラメータの情報、スクランブル識別が設定されない場合の少なくとも１つの前記第１パラメータの情報のうちの少なくとも１つを含む。
【００３５】
［上位層指示情報に基づいて第１パラメータを決定する］というステップの具体的な実現方式について言えば、例えば、上位層指示情報が「バンド許可タイプの情報」を含み、且つこのバンド許可タイプの情報が具体的に「無許可バンド」であれば、スクランブル識別が設定されている場合、対応する第１パラメータは、ＲＮＴＩとスクランブル識別であると決定される。又は、スクランブル識別が設定されている場合、対応する第１パラメータは、ＲＮＴＩ、スクランブル識別及び前記他のパラメータを含むと決定される。
【００３６】
上位層指示情報が「スクランブル識別が設定されているかを示す情報」を含み、且つこの情報により「スクランブル識別が設定されない」ことを示すのであれば、対応する第１パラメータが例えばＲＮＴＩ、ＤＣＩの時間領域情報及びＰＣＩを含むと決定できる。
【００３７】
上位層指示情報が「スクランブル識別が設定されているかを示す情報」を含み、且つこの情報により「スクランブル識別が設定されている」ことを示すのであれば、対応する第１パラメータが例えばＲＮＴＩとスクランブル識別を含むと決定できる。
【００３８】
上位層指示情報が「スクランブル識別が設定されている場合の少なくとも１つの前記第１パラメータの情報」を含むのであれば、対応する第１パラメータが例えばＲＮＴＩとスクランブル識別を含むと決定できる。又は、スクランブル識別が設定されている場合、対応する第１パラメータがＲＮＴＩ、スクランブル識別及び前記他のパラメータを含むと決定できる。
【００３９】
上位層指示情報が「スクランブル識別が設定されていない場合の少なくとも１つの前記第１パラメータの情報」を含むのであれば、対応する第１パラメータが例えばＲＮＴＩとＰＣＩを含むと決定できる。又は、第１パラメータがＲＮＴＩ、ＰＣＩ及び前記他のパラメータを含むと決定できる。
【００４０】
ネットワーク機器は、スクランブル系列を生成する前に、所定のアプリケーションシナリオ及び／又は上位層指示情報に基づいて、まず、具体的にどの第１パラメータでスクランブル系列を生成するかを決定する。
【００４１】
ネットワーク機器は、優先的に上位層指示情報に基づいて第１パラメータを決定できるが、この場合、所定のシナリオに基づいて第１パラメータを決定する必要がない。第１パラメータを決定するための上位層指示情報は、上位層指示情報の受信履歴であってもよい。
【００４２】
又は、ネットワーク機器は、まず所定のアプリケーションシナリオに基づいて第１パラメータを決定してもよい。所定のアプリケーションシナリオに基づいて、例えばこのシナリオとして「第１パラメータがスクランブル識別を含むシナリオ」であるとしか決定できず、第１パラメータがスクランブル識別を含む以外にどんなパラメータを含むかを決定できない場合、更に上位層指示情報に基づいて、スクランブル識別以外の他の第１パラメータを決定する。
【００４３】
もちろん、ネットワーク機器が所定のシナリオの情報から、スクランブル系列を生成するための各パラメータを決定できるのであれば、上位層指示情報に基づいて第１パラメータを決定することが必要でなくなる。
【００４４】
本開示の実施例において、第１パラメータが上位層指示情報に基づいて決定される場合、前記第１パラメータは、第１パラメータのうちの少なくとも１つが、前記上位層指示情報によってセルに基づいて設定される設定方式、第１パラメータのうち少なくとも１つが、前記上位層指示情報によって搬送波に基づいて設定される設定方式、第１パラメータのうち少なくとも１つが、前記上位層指示情報によって帯域幅タイプに基づいて設定される設定方式、第１パラメータのうちの少なくとも１つが、前記上位層指示情報によってＣＯＲＥＳＥＴに基づいて設定される方式の少なくとも一つの設定方式を満たす。
【００４５】
ここで、「第１パラメータのうちの少なくとも１つが、前記上位層指示情報によってセルに基づいて設定される」とは、上位層指示情報は、１つ又は複数のセル内の端末機器にＤＣＩを送信する際に、スクランブル系列を生成するための第１パラメータのうちの少なくとも１つのパラメータをネットワーク機器に指示するように機能する。
【００４６】
「第１パラメータのうち少なくとも１つが、前記上位層指示情報によって搬送波に基づいて設定される」とは、上位層指示情報は、１つ又は複数の搬送波でＤＣＩを送信する際に、スクランブル系列を生成するための第１パラメータのうちの少なくとも１つのパラメータをネットワーク機器に指示するように機能する。
【００４７】
「第１パラメータのうち少なくとも１つが、前記上位層指示情報によって帯域幅タイプに基づいて設定される」とは、上位層指示情報は、１つ又は複数のタイプの帯域幅でＤＣＩを送信する際に、スクランブル系列を生成するための第１パラメータのうちの少なくとも１つのパラメータをネットワーク機器に指示するように機能する。
【００４８】
「第１パラメータのうちの少なくとも１つが、前記上位層指示情報によってＣＯＲＥＳＥＴに基づいて設定される」とは、上位層指示情報は、１つ又は複数のＣＯＲＥＳＥＴでＤＣＩを送信する際に、スクランブル系列を生成するための第１パラメータのうちの少なくとも１つのパラメータをネットワーク機器に指示するように機能する。
【００４９】
本開示の実施例において、所定のシナリオを表すための識別を予め設定してネットワーク機器に保存する。この識別は、例えば００１である場合、所定のシナリオとして、無許可タイプのバンドでＤＣＩを送信することを示すが、識別が０００であれば、所定のシナリオとして、許可タイプのバンドでＤＣＩを送信することを示す。同様に、この識別は、０１１であってもよく、所定のシナリオとして、第１パラメータがスクランブル識別を含むシナリオである（この場合、バンドの許可タイプを区別しない）ことを示すが、識別が１１１であれば、所定のシナリオとして、第１パラメータがスクランブル識別を含まず、上記他のパラメータを含むことを示す（この場合でも、バンドの許可タイプを区別しない）。
【００５０】
所定のシナリオによっては、ネットワーク機器は、所定のシナリオにマッチするｃｉｎｉｔｓｃｒａｍｂｌｅのスクランブル系列生成方式でｃｉｎｉｔｓｃｒａｍｂｌｅを生成する。ここでいうスクランブル系列生成方式は、ｃｉｎｉｔｓｃｒａｍｂｌｅを生成するための第１パラメータ及びｃｉｎｉｔｓｃｒａｍｂｌｅを生成するための式を含む。
【００５１】
本開示の実施例において、所定のシナリオにマッチするｃｉｎｉｔｓｃｒａｍｂｌｅの計算式は、所定のシナリオを表す識別に関連付けられてネットワーク機器に保存される。これによって、所定のシナリオの識別に基づいて２進数ｃｉｎｉｔｓｃｒａｍｂｌｅ計算式を決定し、すなわち、所定のシナリオに基づいて、２進数ｃｉｎｉｔｓｃｒａｍｂｌｅ計算式を決定する。
【００５２】
上位層指示情報に基づいて第１パラメータを決定する場合について、上位層指示情報は、具体的に２進数ｃｉｎｉｔｓｃｒａｍｂｌｅ計算式の情報を更に含んでもよい。これによって、ネットワーク機器は、上位層指示情報に含まれるこの情報に基づいて、２進数ｃｉｎｉｔｓｃｒａｍｂｌｅを計算するために具体的にどの式を採用するかを決定する。具体的には、この情報は、式の唯一の識別である。ネットワーク機器は、式の唯一の識別とｃｉｎｉｔｓｃｒａｍｂｌｅの計算式を関連付けて保存しておくことによって、上位層指示情報に含まれる式の唯一の識別に基づいて、保存された計算式から、この唯一の識別に対応する計算式を見つけ出し、更に第１パラメータに基づいて、見つけ出した計算式でｃｉｎｉｔｓｃｒａｍｂｌｅを計算する。
【００５３】
以下、本開示の実施例における２進数を計算するための式を具体的に説明する。
【００５４】
上述のように、本開示の実施例でいう第１パラメータの具体的な内容は、複数のケースを有する。
【００５５】
ケース１：第１パラメータがＲＮＴＩを含む。
【００５６】
ケース２：スクランブル識別が設定されている場合、第１パラメータは、ＲＮＴＩを含むほか、スクランブル識別を更に含む。
【００５７】
ケース２の場合、第１パラメータに基づいてスクランブル系列を生成することは、具体的には、まず、下記式［１］又は「２」に従ってｃｉｎｉｔｓｃｒａｍｂｌｅを算出し、それから、算出したｃｉｎｉｔｓｃｒａｍｂｌｅから前記スクランブル系列を生成する。
【式１】
【００５８】
2021510258.tif 000003
【式２】
【００５９】
2021510258.tif 000004
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤは、前記スクランブル識別を示す。
【００６０】
ケース２のスクランブル系列生成方式は、無許可バンドでＰＤＣＣＨでＤＣＩを送信する場合に適用できる。
【００６１】
以下、関連技術に存在する欠点の１つを紹介し、更に、ケース２のスクランブル系列生成方式の利点を対比解析する。
【００６２】
関連技術では、一定の時間領域情報に基づいてスクランブル系列を生成する方式が採用されている。具体的には、通常、下記式［３］のような式を用いて、スクランブル系列を初期化するための２進数ｃｉｎｉｔを計算し、その後、算出したｃｉｎｉｔを用いて、スクランブル系列を生成する。
【式３】
【００６３】
2021510258.tif 000005
ここで、ｃｉｎｉｔは、スクランブル系列を初期化するための２進数を示し、ｎｓは、ＬＴＥシステムで用いられるＤＣＩを送信するための一定のサブフレームのインデックス（すなわち、一定の時間領域情報）を示し、Ｎは、セルＮを示し、ＮＩＤｃｅｌｌは、セルＮのＰＣＩを示す。
【００６４】
上述したスクランブル系列初期化方式は、許可バンド（Ｌｉｃｅｎｓｅｄ  Ｆｒｅｑｕｅｎｃｙ  Ｂａｎｄ：ＬＦＢ）でのデータ送受信に比較的適している。無許可バンド（Ｕｎｌｉｃｅｎｓｅｄ  Ｆｒｅｑｕｅｎｃｙ  Ｂａｎｄ：ＵＦＢ）でデータ送受信を行うシナリオでは、そのシナリオで無線フレーム送信時点及び長さが動的に変化するため、ＤＣＩを送信するためのサブフレーム／スロットを予測することができず、すなわちｎｓを予測することができない。これは、ＰＤＣＣＨがアイドル状態であることをリッスンビフォートーク（Ｌｉｓｔｅｎ  Ｂｅｆｏｒｅ  Ｔａｌｋ：ＬＢＴ）により検出するまで、スクランブル系列を初期化しておくことができず、ＬＢＴによるＰＤＣＣＨがアイドル状態であることの検出を待ってからスクランブル系列の初期化を行うことになり、無許可バンドでのデータ送信遅延が大きくなる。
【００６５】
一方、本開示の実施例における上記式（１）又は（２）を用いると、ＰＤＣＣＨの時間領域情報に依存しないので、スクランブル系列を予め生成し、ＬＢＴによって一度、無許可バンドで使用可能なリソースが検出されると、ＤＣＩを迅速にスクランブルして送信でき、リソースが使用可能になることを待ってからスクランブル系列の生成を開始する必要がないので、無許可バンドでのデータ送信時間遅延を低減することができる。
【００６６】
ケース３：第１パラメータは、ＲＮＴＩとスクランブル識別を含むほか、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【００６７】
ケース３の場合、第１パラメータが前記ＣＯＲＥＳＥＴ識別を含む場合、第１パラメータに基づいてスクランブル系列を生成することは、具体的には、下記式［４］に従ってｃｉｎｉｔｓｃｒａｍｂｌｅを算出し、その後、算出したｃｉｎｉｔｓｃｒａｍｂｌｅから前記スクランブル系列を生成する。
【式４】
【００６８】
2021510258.tif 000006
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＣＯＲＥＳＥＴは、前記ＣＯＲＥＳＥＴ識別を示し、ｎＩＤは、前記スクランブル識別を示す。
【００６９】
ケース３の場合、前記第１パラメータが前記ｓｅａｒｃｈ  ｓｐａｃｅ識別を含む場合、第１パラメータに基づいてスクランブル系列を生成することは、具体的には、下記式［５］に従ってｃｉｎｉｔｓｃｒａｍｂｌｅを算出し、その後、算出したｃｉｎｉｔｓｃｒａｍｂｌｅから前記スクランブル系列を生成する。
【式５】
【００７０】
2021510258.tif 000007
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＳＳは、前記ｓｅａｒｃｈ  ｓｐａｃｅ識別を示し、ｎＩＤは、前記スクランブル識別を示す。
【００７１】
ケース３の場合、前記第１パラメータが前記スロットの無線フレーム内又は無線サブフレーム内のインデックスと前記ＯＦＤＭシンボルのインデックスを含む場合、第１パラメータに基づいてスクランブル系列を生成することは、具体的には、下記式［６］従ってｃｉｎｉｔｓｃｒａｍｂｌｅを算出し、その後、算出したｃｉｎｉｔｓｃｒａｍｂｌｅから前記スクランブル系列を生成する。
【式６】
【００７２】
2021510258.tif 000008
ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す。
【００７３】
ケース４：前記第１パラメータは、ＲＮＴＩを含むほか、前記ＤＣＩの時間領域情報と、端末機器が在圏するセルの物理セル識別ＰＣＩとを更に含む。
【００７４】
ケース４の場合、第１パラメータに基づいてスクランブル系列を生成することは、具体的には、下記式［７］に従ってｃｉｎｉｔｓｃｒａｍｂｌｅを算出し、その後、算出したｃｉｎｉｔｓｃｒａｍｂｌｅから前記スクランブル系列を生成する。
【式７】
【００７５】
2021510258.tif 000009
ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記ＤＣＩを送信するためのスロットの無線フレーム内又は無線サブフレーム内のインデックスを示し、ｌは、前記ＤＣＩを送信するためのＯＦＤＭシンボルのインデックスを示し、ＮＩＤｃｅｌｌは、前記ＰＣＩを示す。
【００７６】
ステップ１２において、生成されたスクランブル系列で下り制御情報ＤＣＩをスクランブルする。
【００７７】
ステップ１３において、スクランブルされたＤＣＩを端末機器に送信する。
【００７８】
本開示の実施例において、端末機器側は、ネットワーク機器と同様に、所定のシナリオの情報に基づいて第２パラメータを決定する。所定のシナリオの情報及びｃｉｎｉｔｓｃｒａｍｂｌｅ計算式は、対応付けられて端末機器に保存される。
【００７９】
もちろん、端末機器は、指示情報に基づいて第１パラメータを決定してもよい。ここでいう指示情報は、具体的に、ネットワーク機器が上位層指示情報及び／又は所定のシナリオの情報に基づいて決定してから端末機器に送信する。ネットワーク機器から端末機器に送信するこの指示情報は、具体的に第１パラメータ及びｃｉｎｉｔｓｃｒａｍｂｌｅ計算式の識別を含む。端末機器は、ｃｉｎｉｔｓｃｒａｍｂｌｅ計算式の識別と、ローカルで保存されているｃｉｎｉｔｓｃｒａｍｂｌｅの各計算式及び対応する式識別に基づいて、ローカルで保存されている計算式から、この指示情報に含まれる式の識別にマッチするｃｉｎｉｔｓｃｒａｍｂｌｅの計算式を見つけ出す。
【００８０】
本開示の実施例において、ＤＭＲＳ系列でデータを伝送する方法を更に提供する。
【００８１】
具体的には、この方法は、ネットワーク機器に応用でき、図２に示す下記のステップを含む。
【００８２】
ステップ２１において、第２パラメータに基づいてＤＭＲＳ系列を生成する。前記第２パラメータは、ＤＭＲＳ系列を生成するためのパラメータを指す。第２パラメータは、所定のアプリケーションシナリオ及び／又は上位層指示情報に基づいて決定される。
【００８３】
所定のアプリケーションシナリオ及び／又は上位層指示情報に基づいて第２パラメータを決定する方式は、所定のアプリケーションシナリオ及び／又は上位層指示情報に基づいて第１パラメータを決定する方式とは似ているため、具体的な実現過程は、本開示の実施例でここまで記載した所定のアプリケーションシナリオ及び／又は上位層指示情報に基づいて第１パラメータを決定する過程を参照し、ここでは繰り返して記載しない。
【００８４】
ステップ２２において、生成された前記ＤＭＲＳ系列を用いて端末機器にデータを送信する。
【００８５】
本開示の実施例において、第２パラメータが具体的にどのパラメータを含むかについても、複数のケースを有する。
【００８６】
ケース１：スクランブル識別が設定されている場合、前記第２パラメータは、前記スクランブル識別を含む。
【００８７】
ケース１の場合、下記式［８］でｃｉｎｉｔＤＭＲＳを算出し、その後、算出したｃｉｎｉｔＤＭＲＳからＤＭＲＳ系列を生成する。
【式８】
【００８８】
2021510258.tif 000010
ここで、ｃｉｎｉｔＤＭＲＳは、前記ＤＭＲＳ系列を初期化するための２進数を示し、ｎＩＤは、前記スクランブル識別を示す。
【００８９】
ケース２：第２パラメータは、スクランブル識別を含むほか、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【００９０】
ケース２の場合、第２パラメータがスクランブル識別と前記ＣＯＲＥＳＥＴ識別を含む場合、下記式［９］でｃｉｎｉｔＤＭＲＳを算出し、その後、算出したｃｉｎｉｔＤＭＲＳからＤＭＲＳ系列を生成する。
【式９】
【００９１】
2021510258.tif 000011
ここで、ｃｉｎｉｔＤＭＲＳは、前記ＤＭＲＳ系列を初期化するための２進数を示し、ｎＩＤＣＯＲＥＳＥＴは、前記ＣＯＲＥＳＥＴ識別を示し、ｎＩＤは、前記スクランブル識別を示す。
【００９２】
ケース２の場合、第２パラメータがスクランブル識別と前記ｓｅａｒｃｈ  ｓｐａｃｅ識別を含む場合、下記式［１０］でｃｉｎｉｔＤＭＲＳを算出し、その後、算出したｃｉｎｉｔＤＭＲＳからＤＭＲＳ系列を生成する。
【式１０】
【００９３】
2021510258.tif 000012
ここで、ｃｉｎｉｔＤＭＲＳは、前記ＤＭＲＳ系列を初期化するための２進数を示し、ｎＩＤＳＳは、前記ＯＦＤＭシンボルのインデックスを示し、ｎＩＤは、前記スクランブル識別を示す。
【００９４】
ケース２の場合、第２パラメータがスクランブル識別と前記ＯＦＤＭシンボルのインデックスを含む場合、下記式「１１」でｃｉｎｉｔＤＭＲＳを算出し、その後、算出したｃｉｎｉｔＤＭＲＳからＤＭＲＳ系列を生成する。
【式１１】
【００９５】
2021510258.tif 000013
ここで、ｃｉｎｉｔＤＭＲＳは、前記ＤＭＲＳ系列を初期化するための２進数を示し、ｎＲＮＴＩは、前記ＲＮＴＩを示し、ｎｓは、前記インデックスを示し、ｌは、前記ＯＦＤＭシンボルのインデックスを示し、ｎＩＤは、前記スクランブル識別を示す。
【００９６】
ケース３：前記第２パラメータは、具体的には、ＰＣＩとＤＭＲＳの時間領域情報を含む。
【００９７】
ケース３の場合、下記式［１２］でｃｉｎｉｔＤＭＲＳを算出し、その後、算出したｃｉｎｉｔＤＭＲＳからＤＭＲＳ系列を生成する。
【式１２】
【００９８】
2021510258.tif 000014
ここで、ｃｉｎｉｔＤＭＲＳは、前記ＤＭＲＳ系列を初期化するための２進数を示し、ｎｓは、前記ＤＣＩを送信するためのスロットの無線フレーム内又は無線サブフレーム内のインデックスを示し、ｌは、前記ＤＭＲＳ系列を送信するための所定のＯＦＤＭシンボルのインデックスを示し、ＮＩＤｃｅｌｌは、前記ＰＣＩを示す。
【００９９】
本開示の実施例において、端末機器側は、ネットワーク機器と同様に、所定のシナリオの情報に基づいて第２パラメータを決定する。所定のシナリオの情報及びｃｉｎｉｔＤＭＲＳ計算式、式の識別は、上記記載と同様に、対応付けられて端末機器に保存される。
【０１００】
もちろん、端末機器は、指示情報に基づいて第２パラメータ及びｃｉｎｉｔＤＭＲＳ計算式を決定してもよい。ここでいう指示情報は、具体的に、ネットワーク機器が上位層指示情報及び／又は所定のシナリオの情報に基づいて決定してから端末機器に送信する。ネットワーク機器から端末機器に送信するこの指示情報は、具体的に第２パラメータ及びｃｉｎｉｔＤＭＲＳ計算式を含む。
【０１０１】
本開示の実施例の第１種類のデータ送信方法に対応し、本開示の実施例は、端末機器に応用されるデスクランブル方法を更に提供する。この方法の具体的な実現過程は、明細書の図３を参照し、具体的には、以下のステップを含む。
【０１０２】
ステップ３１において、第１パラメータに基づいてスクランブル系列を生成する。前記第１パラメータは、所定のアプリケーションシナリオ又はネットワーク機器の指示情報に基づいて決定される。
【０１０３】
第１パラメータの決定、第１パラメータに含まれる内容、及び第１パラメータに基づくスクランブル系列の生成について、いずれも上記の関連記載を参照し、ここでは繰り返して記載しない。
【０１０４】
ステップ３２において、受信したスクランブルされた下り制御情報ＤＣＩを、生成されたスクランブル系列でデスクランブルする。
【０１０５】
本開示の実施例の第２種類のデータ送信方法に対応し、本開示の実施例は、端末機器に応用される復調方法を更に提供する。この方法の具体的なフローは、図４に示されており、以下のステップを含む。
【０１０６】
ステップ４１において、第２パラメータに基づいて復調参照信号ＤＭＲＳ系列を生成する。前記第２パラメータは、所定のアプリケーションシナリオ又はネットワーク機器の指示情報に基づいて決定される。
【０１０７】
第２パラメータの決定、第２パラメータに含まれる内容、及び第２パラメータに基づくＤＭＲＳ系列の生成について、いずれも上記の関連記載を参照し、ここでは繰り返して記載しない。
【０１０８】
ステップ４２において、受信したデータ信号を、生成されたＤＭＲＳ系列で復調して、スクランブルされた下り制御情報ＤＣＩを得る。
【０１０９】
本開示の実施例による技術手段により、関連技術に存在する問題をどのように解決するかを明確に理解してもらうために、以下、関連技術に用いられるスクランブル系列生成方式に存在する欠点を詳細に説明する。
【０１１０】
欠点１：データ送信遅延が大きくする可能性がある。
上述したように、関連技術のスクランブル系列初期化方式は、許可バンド（Ｌｉｃｅｎｓｅｄ  Ｆｒｅｑｕｅｎｃｙ  Ｂａｎｄ：ＬＦＢ）でのデータ送受信に比較的適している。無許可バンド（Ｕｎｌｉｃｅｎｓｅｄ  Ｆｒｅｑｕｅｎｃｙ  Ｂａｎｄ：ＵＦＢ）でデータ送受信を行うシナリオでは、そのシナリオでの無線フレーム送信時点及び長さが動的に変化するため、ＤＣＩを送信するためのサブフレーム／スロットを予測することができず、すなわちｎｓを予測することができない。これは、ＰＤＣＣＨがアイドル状態であることをリッスンビフォートーク（Ｌｉｓｔｅｎ  Ｂｅｆｏｒｅ  Ｔａｌｋ：ＬＢＴ）により検出するまで、スクランブル系列を初期化しておくことができず、ＬＢＴによるＰＤＣＣＨがアイドル状態であることの検出を待ってからスクランブル系列の初期化を行うことになり、無許可バンドでのデータ送信遅延が大きくなる。
【０１１１】
欠点２：データ送信のシナリオに応じて対応する系列生成方式を柔軟に採用することができない。
以上の欠点１について説明したように、従来技術に用いられるスクランブル系列生成方式では、無許可バンドでのデータ送信遅延を大きくするという欠点が存在する。しかしながら、現行の通信規格では、一定の時間領域情報に基づいてスクランブル系列を生成する方式しか提供されていないため、データ送信シナリオが「無許可バンドでのデータ送信」か「許可バンドでのデータ送信」かに関わらず、関連技術により区別をせずに一律に上記式［３］でｃｉｎｉｔを算出し、上記欠点１の存在をもたらす。
【０１１２】
このように、一定の１種類のスクランブル系列生成方式に基づいてスクランブル系列を生成するだけでは、複雑で変化の多いデータ送信シナリオのデータ送信要件を満たすことができなくなり、すなわち、データ送信シナリオが複雑で変化が多いという特徴を備えたＮＲシステムなどの通信システムの要件に応えることができなくなってきている。関連技術に対し、異なるデータ送信シナリオのデータ送信ニーズに柔軟に対応するための新しいデータ送信方式を提供することが強く望まれている。
【０１１３】
本開示の実施例の方式によれば、所定のアプリケーションシナリオ及び／又は上位層指示情報に基づいて決定される第１パラメータに基づいてスクランブル系列を生成することができるため、本開示の実施例の方式は、スクランブル系列生成方式に制限されず、所定のアプリケーションシナリオ及び／又は上位層指示情報に柔軟に適応することができるので、異なるデータ送信シナリオでのデータ送信ニーズに柔軟に対応することができる。
【０１１４】
当業者は、本開示の実施例における計算式を変形してもよく、例えば、その数の一部を変更してもよい。ただし、創造的な労働を伴うことなく、これらの計算式を変形して得られる他の計算方式は、本開示が提供するものと同一の発明概念に属するものと見なされるべきである。
【０１１５】
実施例１
実施例１では、ネットワーク機器は、余剰最小システム情報（Ｒｅｍａｉｎｉｎｇ  Ｍｉｎｉｍｕｍ  Ｓｙｓｔｅｍ  Ｉｎｆｏｒｍａｔｉｏｎ：ＲＭＳＩ）を送信するためのＣＯＲＥＳＥＴであるＲＭＳＩ  ＣＯＲＥＳＥＴを物理ブロードキャストチャネル（Ｐｈｙｓｉｃａｌ  Ｂｒｏａｄｃａｓｔ  ＣＨａｎｎｅｌ：ＰＢＣＨ）で設定しているものとする。
【０１１６】
そして、設定されたこのＲＭＳＩ  ＣＯＲＥＳＥＴを用いてＤＣＩを送信する場合、ネットワーク機器は、スクランブル系列及びＤＭＲＳ系列を生成するとき、以下の方式を採用することができる。スクランブル系列については、ネットワーク機器は、実際にスケジューリングされたデータに対応するＲＮＴＩ、及びＤＣＩを受信する端末機器が在圏するセルのＰＣＩなどのパラメータ（前述の第１パラメータに相当）に基づいて、下記の式［１３］を用いてｃｉｎｉｔｓｃｒａｍｂｌｅを計算する。
【式１３】
【０１１７】
2021510258.tif 000015
ここで、ｃｉｎｉｔｓｃｒａｍｂｌｅは、スクランブル系列を初期化するための２進数を示し、ｎＲＮＴＩは、ＤＣＩを受信する端末機器のＲＮＴＩであって、実際にスケジューリングされたデータに対応するＲＮＴＩを示し、ｎｓは、ＤＣＩを送信するためのスロットの無線フレーム内又は無線サブフレーム内のインデックスを示し、ｌは、ＤＣＩを送信するためのＯＦＤＭシンボルのインデックスを示し、ＮＩＤｃｅｌｌは、端末機器が在圏するセルのＰＣＩを示す。
【０１１８】
その後、ネットワーク機器は、スクランブル系列を構成するためのＧｏｌｄ系列をｃｉｎｉｔｓｃｒａｍｂｌｅで初期化することによりスクランブル系列を得る。Ｇｏｌｄ系列を２進数で初期化してスクランブル系列を得るため、比較的熟練した関連技術を用いて実現できるので、ここではその説明を省略する。
【０１１９】
なお、上記実際にスケジューリングされたデータは、例えば、ＲＭＳＩ、オープンシステムインターコネクト（Ｏｐｅｎ  Ｓｙｓｔｅｍ  Ｉｎｔｅｒｃｏｎｎｅｃｔｉｏｎ：ＯＳＩ）又はｐａｇｉｎｇ等である。
【０１２０】
スクランブル系列を生成した後、ネットワーク機器は、ＰＤＣＣＨを介して送信されるＤＣＩを、スクランブル系列でスクランブルして、スクランブルされたＤＣＩを得る。その後、ネットワーク機器は、スクランブルされたＤＣＩをＰＤＣＣＨを介して端末機器に送信する。端末機器が受信した前記スクランブルされたＤＣＩをどのようにデスクランブルするかについては、後に説明され、ここでは詳しい説明は省略する。
【０１２１】
ＤＭＲＳ系列に対して、ネットワーク機器は、ＰＣＩ及びＤＭＲＳの時間領域情報に基づいて、ＣＯＲＥＳＥＴのＤＭＲＳ系列を生成する。例えば、ネットワーク機器は、具体的には、以下の式［１４］に従ってｃｉｎｉｔＤＭＲＳを算出する。
【式１４】
【０１２２】
2021510258.tif 000016
ここで、ｃｉｎｉｔＤＭＲＳは、ＤＭＲＳ系列を初期化するための２進数を示し、ｎｓは、ＤＣＩを送信するためのスロットの無線フレーム内又は無線サブフレーム内のインデックスを示し、ｌは、ＤＭＲＳ系列を送信するための所定のＯＦＤＭシンボルのインデックスを示し、ＮＩＤｃｅｌｌは、端末機器が在圏するセルのＰＣＩを示す。
【０１２３】
その後、ネットワーク機器は、ＤＭＲＳ系列を構成するＧｏｌｄ系列をｃｉｎｉｔＤＭＲＳで初期化することによりＤＭＲＳ系列を得る。ＤＭＲＳ系列を構成するＧｏｌｄ系列を２進数で初期化してＤＭＲＳ系列を得るため、比較成熟した関連技術を用いて実現できるため、ここではその詳細な説明を省略する。
【０１２４】
ＤＭＲＳ系列を生成した後に、ネットワーク機器は、生成したＤＭＲＳ系列を用いて端末機器にデータを送信する。なお、端末機器がどのようにＤＭＲＳ系列を生成し、それを用いてデータを復調するかについては、後で詳細に説明するが、ここではその説明を省略する。
【０１２５】
ネットワーク機器が採用する上記の系列生成方式から分かるように、セル毎に、互いにＰＣＩが異なるため、設定されたＲＭＳＩ  ＣＯＲＥＳＥＴでＤＣＩを送信する場合、異なるセルのＰＣＩでそれぞれ生成されるＤＭＲＳ系列が互いに異なり、異なるセルのＰＣＩで生成されるスクランブル系列も互いに異なる。そのため、端末機器は、異なるセルの端末機器に送信するＰＤＣＣＨを区別し、ＰＤＣＣＨを復調することに成功することができる。
【０１２６】
以上は、実施例１においてネットワーク機器がＰＤＣＣＨのスクランブル系列とＤＭＲＳ系列をどのように生成するかについての説明である。以下、端末機器がＰＤＣＣＨのスクランブル系列とＤＭＲＳ系列をどのように生成するかについて説明する。
【０１２７】
ＤＭＲＳ系列については、端末機器は、在圏セルのＰＣＩ及びＤＭＲＳの時間領域情報に基づいて、上記のｃｉｎｉｔＤＭＲＳを算出するための式に従ってｃｉｎｉｔＤＭＲＳを算出し、更にｃｉｎｉｔＤＭＲＳに基づいてＰＤＣＣＨのＤＭＲＳ系列を生成する。
【０１２８】
その後、端末機器は、受信したスクランブルされたＤＣＩを、このＤＭＲＳ系列を用いて復調する。
【０１２９】
スクランブル系列については、端末機器は、復調が必要なデータに対応するＲＮＴＩに基づいて、上記のｃｉｎｉｔｓｃｒａｍｂｌｅを算出するための式に従ってｃｉｎｉｔｓｃｒａｍｂｌｅを算出し、更にｃｉｎｉｔｓｃｒａｍｂｌｅに基づいてＰＤＣＣＨのスクランブル系列を生成する。
【０１３０】
その後、端末機器は、復調に成功したスクランブルされたＤＣＩを、このスクランブル系列を用いて復調する。
【０１３１】
本実施例１では、更に、ネットワーク機器がＰＤＣＣＨ受信のための追加のＣＯＲＥＳＥＴを端末機器に設定し、且つこのＣＯＲＥＳＥＴに対し、対応するスクランブル識別を設定したと仮定する。
【０１３２】
そして、ネットワーク機器は、このスクランブル識別に基づいて、以下の式［１５］及び［１６］のうちの１つに従ってｃｉｎｉｔｓｃｒａｍｂｌｅを算出する。
【式１５】
【０１３３】
2021510258.tif 000017
【式１６】
【０１３４】
2021510258.tif 000018
ここで、ｃｉｎｉｔｓｃｒａｍｂｌｅは、スクランブル系列を初期化するための２進数を示し、ｎＲＮＴＩは、ＲＮＴＩを示し、ｎＩＤは、スクランブル識別を示す。
【０１３５】
更に、ネットワーク機器は、算出したｃｉｎｉｔｓｃｒａｍｂｌｅに基づいてスクランブル系列を生成し、スクランブル系列でＤＣＩをスクランブルしてからＰＤＣＣＨを介して端末機器に送信する。
【０１３６】
更に、ネットワーク機器は、スクランブル識別に基づいて、以下の式［１７］に従ってｃｉｎｉｔＤＭＲＳを算出する。
【式１７】
【０１３７】
2021510258.tif 000019
ここで、ｃｉｎｉｔＤＭＲＳは、ＤＭＲＳ系列を初期化するための２進数を示し、ｎＩＤは、スクランブル識別を示す。
【０１３８】
更に、ネットワーク機器は、算出したｃｉｎｉｔＤＭＲＳに基づいてＤＭＲＳ系列を生成し、ＤＭＲＳ系列によってデータを端末機器に送信する。
【０１３９】
端末機器では、式ｃｉｎｉｔＤＭＲＳ＝ｎＩＤでｃｉｎｉｔＤＭＲＳを算出し、更にｃｉｎｉｔＤＭＲＳに基づいてＤＭＲＳ系列を生成する。これにより、端末機器は、受信したスクランブルされたＤＣＩを、生成されたＤＭＲＳで復調する。
【０１４０】
更に、端末機器は、対応する以下の式［１８］及び［１９］のうちの１つに従ってｃｉｎｉｔｓｃｒａｍｂｌｅを算出し、更にｃｉｎｉｔｓｃｒａｍｂｌｅに基づいてスクランブル系列を生成する。
【式１８】
【０１４１】
2021510258.tif 000020
【式１９】
【０１４２】
2021510258.tif 000021
【０１４３】
端末機器は、復調に成功したスクランブルされたＤＣＩを、このスクランブル系列を用いてデスクランブルする。
【０１４４】
本発明の実施例１において、スクランブル識別を用いてスクランブル系列を生成する技術的効果は、以下である。ＣＯＲＥＳＥＴに対して設定されたスクランブル識別がセルＰＣＩに依存しないので、異なるＰＣＩの隣接セルは、同じスクランブル識別を使用して同じスクランブル系列を生成する。従って、セルエッジにある端末機器にとって、このセルに対応するネットワーク機器は、ＤＣＩをこのスクランブル系列でスクランブルした後、スクランブルされたＤＣＩをこのＣＯＲＥＳＥＴにより端末機器に送信する。また、このセルに対応するネットワーク機器は、ＤＣＩを、このセルの隣接セルのネットワーク機器に送信し、その結果、この隣接セルのネットワーク機器は、このスクランブル識別に基づいてこのスクランブル系列を生成することによってＤＣＩをスクランブルした後、スクランブルされたＤＣＩを、このＣＯＲＥＳＥＴにより端末機器に送信する。端末装置は、このようにして、２つのスクランブルされたＤＣＩを受信し、その後、デスクランブルされたＤＣＩを合成することによって、より完全なＤＣＩデータを得る。よって、端末機器がセルエッジにある場合に存在するＰＤＣＣＨ受信の成功率が低いという問題を回避する。
【０１４５】
また、以下では、関連技術に関し、式
2021510258.tif 000022
又は
2021510258.tif 000023
に基づいてスクランブル系列を生成する技術効果を説明する。
【０１４６】
関連技術では、一定の時間領域情報に基づいてスクランブル系列を生成する方式が採用されている。具体的には、通常、スクランブル系列を初期化するための２進数ｃｉｎｉｔを下記式「２０」で算出し、その後、算出したｃｉｎｉｔを用いて、スクランブル系列を生成する。
【式２０】
【０１４７】
2021510258.tif 000024
ここで、ｃｉｎｉｔは、スクランブル系列を初期化するための２進数を示し、ｎｓは、ＬＴＥシステムで用いられるＤＣＩを送信するための一定のサブフレームのインデックス（すなわち、一定の時間領域情報）を示し、Ｎは、セルＮを示し、ＮＩＤｃｅｌｌは、セルＮのＰＣＩを示す。
【０１４８】
上述したスクランブル系列初期化方式は、許可バンド（Ｌｉｃｅｎｓｅｄ  Ｆｒｅｑｕｅｎｃｙ  Ｂａｎｄ：ＬＦＢ）でのデータ送受信に比較的適している。無許可バンド（Ｕｎｌｉｃｅｎｓｅｄ  Ｆｒｅｑｕｅｎｃｙ  Ｂａｎｄ：ＵＦＢ）でデータ送受信を行うシナリオでは、そのシナリオで無線フレーム送信時点及び長さが動的に変化するため、ＤＣＩを送信するためのサブフレーム／スロットを予測することができず、すなわちｎｓを予測することができない。これは、ＰＤＣＣＨがアイドル状態であることをリッスンビフォートーク（Ｌｉｓｔｅｎ  Ｂｅｆｏｒｅ  Ｔａｌｋ：ＬＢＴ）により検出するまで、スクランブル系列を初期化しておくことができず、ＬＢＴによるＰＤＣＣＨがアイドル状態であることの検出を待ってからスクランブル系列の初期化を行うことになり、無許可バンドでのデータ送信遅延が大きくなる。
【０１４９】
一方、本発明の実施例では、式
2021510258.tif 000025
又は
2021510258.tif 000026
に基づいてスクランブル系列を生成するが、ＰＤＣＣＨの時間領域情報に依存しないので、スクランブル系列を予め生成し、ＬＢＴによって一度、無許可バンドで使用可能なリソースが検出されると、ＤＣＩを迅速にスクランブルして送信でき、リソースが使用可能になることを待ってからスクランブル系列の生成を開始する必要がないので、無許可バンドでのデータ送信時間遅延を低減することができる。
【０１５０】
当業者は、本開示の実施例におけるＰＤＣＣＨに依存しない時間領域情報の計算式を変形してもよく、例えば、そのうちのいくつかの数値を変更することなどが可能である。ただし、創造的な労働を伴うことなく、これらの計算式を変形して得られる他の計算方式は、本開示が提供するものと同一の発明概念に属するものと見なされるべきである。
【０１５１】
実施例２
実施例２では、ネットワーク機器は、ＰＤＣＣＨを受信するために、端末機器に対して複数のＣＯＲＥＳＥＴを設定し、更に、前記複数のＣＯＲＥＳＥＴのそれぞれに対してスクランブル識別を設定したと仮定する。ただし、異なるＣＯＲＥＳＥＴに対してそれぞれ設定されるスクランブル識別は、互いに異なる。
【０１５２】
そして、スクランブル識別が設定されている場合、ネットワーク機器は、以下のようにしてスクランブル系列を生成する。まず、下記の式［２１］に従って、スクランブル系列を初期化するための２進数ｃｉｎｉｔｓｃｒａｍｂｌｅを算出する。
【式２１】
【０１５３】
2021510258.tif 000027
ここで、この式における各パラメータの意味は、前述の通りであり、ここでその説明は省略する。
【０１５４】
又は、下記式［２２］に従って、スクランブル系列を初期化するための２進数ｃｉｎｉｔｓｃｒａｍｂｌｅを算出する。
【式２２】
【０１５５】
2021510258.tif 000028
この式における記号の意味は、上記式における記号と同義であるため、説明を省略する。
【０１５６】
算出されたｃｉｎｉｔｓｃｒａｍｂｌｅに基づいて、ネットワーク機器は、ＰＤＣＣＨのスクランブル系列を構成するためのＧｏｌｄ系列を初期化して、ＰＤＣＣＨのスクランブル系列を得る。
【０１５７】
得られたＰＤＣＣＨのスクランブル系列に基づいて、ネットワーク機器は、ＤＣＩをスクランブルし、スクランブルされたＤＣＩを得、スクランブルされたＤＣＩを、ＰＤＣＣＨを介して端末機器に送信する。
【０１５８】
以下、端末機器側のデスクランブル過程について説明する。
端末機器は、対応的に上記式を用いて、スクランブル系列を初期化するための２進数ｃｉｎｉｔｓｃｒａｍｂｌｅを算出し、算出されたｃｉｎｉｔｓｃｒａｍｂｌｅに基づいて、ＰＤＣＣＨのスクランブル系列を構成するＧｏｌｄ系列を初期化して、ＰＤＣＣＨのスクランブル系列を得る。
【０１５９】
端末機器は、得られたＰＤＣＣＨのスクランブル系列に基づいて、ＰＤＣＣＨを介してネットワーク機器から送信されたスクランブルされたＤＣＩをデスクランブルしてＤＣＩを得る。
【０１６０】
なお、端末機器とネットワーク機器は、スクランブルされたＤＣＩの正確なデスクランブルを実現するために、同じ２進数ｃｉｎｉｔｓｃｒａｍｂｌｅの計算式を用いる。
【０１６１】
本発明の実施例２において、ＰＤＣＣＨのスクランブル系列がスクランブル識別に基づいて生成され、互いに異なるＣＯＲＥＳＥＴに対して設定されたスクランブル識別が互いに異なるため、異なるＣＯＲＥＳＥＴを用いてＤＣＩを送信する際に用いられるスクランブル系列が異なる。よって、端末機器は、受信されたＰＤＣＣＨがどのＣＯＲＥＳＥＴ内のものかを区別して該当の後続動作を行うことができる。
【０１６２】
実施例３
実施例３において、ネットワーク機器は、ＰＤＣＣＨ１と表記されるＰＤＣＣＨを受信するために、端末機器に対して１つのＣＯＲＥＳＥＴを設定したと仮定する。また、このＰＤＣＣＨ１に関連するＲＮＴＩをＲＮＴＩ１と表記することとする。
【０１６３】
そして、スクランブル識別が設定されている場合、ネットワーク機器は、以下のようにしてスクランブル系列を生成する。まず、スクランブル系列を初期化するための２進数ｃｉｎｉｔｓｃｒａｍｂｌｅを、例えば、以下の式［２３］に従って算出する。
【式２３】
【０１６４】
2021510258.tif 000029
パラメータの意味は、前述の通りであるので、繰り返して記載しない。
【０１６５】
算出されたｃｉｎｉｔｓｃｒａｍｂｌｅに基づいて、ネットワーク機器は、ＰＤＣＣＨ１のスクランブル系列を構成するためのＧｏｌｄ系列を初期化して、ＰＤＣＣＨ１のスクランブル系列を得る。
【０１６６】
ネットワーク機器は、得られたＰＤＣＣＨ１のスクランブル系列に基づいて、端末機器にＰＤＣＣＨ１を介して送信されるＤＣＩをスクランブルしてスクランブルされたＤＣＩを得、スクランブルされたＤＣＩを端末機器にＰＤＣＣＨ１を介して送信する。
【０１６７】
以下、端末機器がスクランブルされたＤＣＩのデスクランブルをどのように実現するかを説明する。
【０１６８】
まず、端末機器（ＵＥ）は、端末機器に対しネットワーク機器が設定したＰＤＣＣＨ１を受信するためのＣＯＲＥＳＥＴにおいてＰＤＣＣＨ１をブラインド検出する。
【０１６９】
なお、ＵＥは、自局宛のＰＤＣＣＨ１を検出したり、他の端末機器宛のＰＤＣＣＨ２を検出したり、ネットワーク側からのノイズをＰＤＣＣＨとして検出したりするブラインド検出の場合がある。以下、これら３つの可能性のあるケースについてそれぞれ説明する。
【０１７０】
ケース１：ＵＥは、自身に送信したＰＤＣＣＨ１をＰＤＣＣＨとして検出する。
このような場合、ＵＥは、ネットワーク機器が採用したｃｉｎｉｔｓｃｒａｍｂｌｅ計算方式と同じ方式で、ｃｉｎｉｔｓｃｒａｍｂｌｅを算出する。具体的には、実施例３の上記式を参照する。その後、ＵＥは、算出されたｃｉｎｉｔｓｃｒａｍｂｌｅに基づいてスクランブル系列を生成する。
【０１７１】
ＵＥが生成するスクランブル系列は、ＰＤＣＣＨ１を介して送信されるＤＣＩをスクランブルするネットワーク機器と同じスクランブル系列であるため、ＵＥは、自分が生成したスクランブル系列を用いて、ＰＤＣＣＨ１を介して送信されたスクランブルされたＤＣＩをデスクランブルすることに成功する。
【０１７２】
ＤＣＩが具体的にｄａｔａ１＋ＣＲＣ１であると仮定すると、ここでＣＲＣ１は、このＰＤＣＣＨ１に関連するＲＮＴＩでスクランブルされている。すると、ＵＥは、スクランブルされたＤＣＩを自己生成されたスクランブル系列でデスクランブルに成功した後、更に、デスクランブルされたＤＣＩに含まれるＣＲＣ１が位置するｂｉｔを自己のＲＮＴＩでＣＲＣデスクランブルして元のＣＲＣを得、元のＣＲＣを更に検査する。ＣＲＣ検査が成功した場合、ＵＥに送信された情報をＵＥが受信したことを示し、そうでない場合、受信に失敗したことを示す。
【０１７３】
ケース２：ＵＥは、他の端末機器に送信したＰＤＣＣＨ２をＰＤＣＣＨとして検出する。ここで、ＵＥと他の端末機器とは、同一セル内にある。
【０１７４】
ＰＤＣＣＨ２が送信するＤＣＩが、具体的にｄａｔａ２＋ＣＲＣ２であると仮定すると、ＣＲＣ２は、このＰＤＣＣＨ２に関連するＲＮＴＩ（ＲＮＩＴ２と表記する）でスクランブルされている。そして、ネットワーク機器とＵＥは、関連技術に用いられるスクランブル系列生成方式でスクランブル系列を生成し、具体的に下記式［２４］でｃｉｎｉｔを生成し、更にｃｉｎｉｔに基づいて初期化系列を生成する。
【式２４】
【０１７５】
2021510258.tif 000030
【０１７６】
このＰＤＣＣＨ２によってＵＥに送信されるＣＲＣ２部分は、エアインターフェース（ａｉｒ−ｉｎｔｅｒｆａｃｅ）ノイズの影響により誤りが生じる可能性がある。このような場合、ＵＥは、自分のＲＮＴＩ（ＲＮＴＩ１と表記する）に基づいてＣＲＣ２をデスクランブルし、「ＣＲＣ検査成功」の結果を得ることも可能である。そして、更に、ネットワーク機器からこのＵＥと前記他の端末機器とにそれぞれ送信するＤＣＩに用いるスクランブル系列は、すべて同一ＮＩＤｃｅｌｌで生成されるため、ＵＥは、スクランブル系列を用いてＤＣＩをデスクランブルすることにより、デスクランブルされた、元々前記他の端末に送信したＤＣＩを得る。よって、ＤＣＩの誤検出を招き、ｆａｌｓｅ  ａｌａｒｍの上昇を招く。
【０１７７】
一方、本開示の実施例の方式を用いると、ネットワーク機器は、スクランブル識別とＰＤＣＣＨ２に関するＲＮＴＩ２に基づいて、例えば、
2021510258.tif 000031
に従ってＰＤＣＣＨ２のスクランブル系列を生成する。一方、ＵＥは、スクランブル識別とＰＤＣＣＨ１に関するＲＮＴＩ１に基づいて、例えば、この式
2021510258.tif 000032
に従ってＰＤＣＣＨ１のスクランブル系列を生成する。このように、ＵＥが生成したＰＤＣＣＨ１のスクランブル系列とＰＤＣＣＨ２のスクランブル系列が異なるようになり、ＵＥは、ＰＤＣＣＨ２で送信されたＤＣＩに対してデスクランブルすることができなくなる。ＵＥは、自分のＲＮＴＩ１でＣＲＣ２をデスクランブルして「ＣＲＣ検査成功」の結果を得たとしても、ＰＤＣＣＨ２のスクランブル系列でスクランブルされたＤＣＩに対してＰＤＣＣＨ１のスクランブル系列でデスクランブルすることができない。よって、ＵＥは、受信したこのＤＣＩが自分に送信された情報ではないと判断することができる。
【０１７８】
関連技術に対して本開示の実施例の方式を用いることにより、ｆａｌｓｅ  ａｌａｒｍの上昇を招くことなくＤＣＩの誤検出を回避することができることが分かる。
【０１７９】
ケース３：ＵＥは、ネットワーク側からのノイズや文字化けをＰＤＣＣＨとして検出する。
【０１８０】
ケース３については、ノイズや文字化けに対して、ネットワーク機器は、スクランブル処理を行わない。また、関連技術によっては、ネットワーク機器は、ｄａｔａ及びＣＲＣを含むＤＣＩ全体をスクランブルせずに、ＲＮＴＩを用いてＣＲＣをスクランブルするだけである。従って、関連技術によれば、ＵＥは、ＲＮＴＩを用いてＣＲＣをデスクランブルするだけである。
【０１８１】
ところで、スクランブルされなかったノイズや文字化けをＵＥが受信した後、ＵＥが上記関連技術に従って、ＲＮＴＩを用いてそのノイズや文字化けの下位１６ビット（すなわちＣＲＣデフォルト位置ビット）をデスクランブルすると、エアインターフェース・ノイズの影響により、ＵＥは、ＣＲＣ検査成功の結果を得る可能性がある。
【０１８２】
本開示の実施例の方式を用いると、ネットワーク機器は、ＲＮＴＩでＣＲＣをスクランブルするだけでなく、スクランブル系列を用いてｄａｔａとＣＲＣを含むＤＣＩを全体的にスクランブルする。すなわち、二重スクランブル方式を用いる。従って、ＵＥは、ノイズや文字化けを受信すると、それに応じて、スクランブル系列を生成してノイズや文字化け全体をデスクランブルし、デスクランブルに成功すれば、ＲＮＴＩを用いてＣＲＣをデスクランブルする。
【０１８３】
本開示の実施例の方式によれば、ＵＥがノイズや文字化けを受信した場合、ＵＥは、スクランブル系列を用いてノイズや文字化け全体をデスクランブルする。ノイズや文字化けは、スクランブルされないことが多いため、ＵＥがスクランブル系列を用いて得たデスクランブル結果は、一般にＣＲＣ検査に成功できず、誤検出が発生する確率が大きく低下する。
【０１８４】
なお、関連技術によれば、ＤＣＩ全体をスクランブルするのではなく、ＣＲＣのみをスクランブルし、スクランブルされたＣＲＣがＤＣＩの下位１６ビットに位置するので、ＣＲＣをデスクランブルする場合、ＵＥは、ＤＣＩを全て復号し終えてから、ＤＣＩがＣＲＣ検査に成功するか否かを判断できるようになる。完全に復号すると、受信遅延が大きくなる。
【０１８５】
本開示の実施例の方式では、Ｇｏｌｄ系列に基づいてスクランブル系列が生成されるため、スクランブル系列の長さは、ＤＣＩの長さと一致する。よって、スクランブルされたＤＣＩの下位１６ビットにおけるＣＲＣのためのＲＮＴＩの情報は、ＤＣＩの下位１６ビットから、ＤＣＩの長さと一致し、例えばＤＣＩのビット数Ｍと同じＭビットになる。これにより、ＲＮＴＩの情報がＭビットを有するという作用をもたらす。
【０１８６】
従って、スクランブルされたＤＣＩを、端末が誤ったスクランブル系列を用いてデスクランブルする場合、デスクランブルエラーのビットは、関連技術の下位１６ビットから、下位１６ビットの前に「前倒し」されることに相当する。一旦デスクランブルエラーが発見されると、ＵＥは、ＤＣＩをすべて復号済みにすることなく、前もって復号を終了する。このように、本開示の実施例による「二重スクランブル」を用いることにより、関連技術のように全て復号し終わってからＣＲＣ検査成功か否かの判断ができるようになる場合に比べて、受信遅延を少なくすることができる。
【０１８７】
実施例４
実施例４では、ネットワーク機器は、ＰＤＣＣＨ１と表記されたＰＤＣＣＨを受信するために、ＵＥ（ＵＥ１と表記される）に対して１つのＣＯＲＥＳＥＴを設定したと仮定する。また、このＰＤＣＣＨ１に関連するＲＮＴＩをＲＮＴＩ１と表記することとする。
【０１８８】
そして、スクランブル識別が設定されている場合、ネットワーク機器は、以下のようにしてスクランブリング系列を生成する。まず、スクランブル系列を初期化するための２進数ｃｉｎｉｔｓｃｒａｍｂｌｅを例えば以下の式［２５］に従って算出する。
【式２５】
【０１８９】
2021510258.tif 000033
パラメータの意味は、前述の通りであるので、ここでは繰り返して記載しない。
【０１９０】
算出されたｃｉｎｉｔｓｃｒａｍｂｌｅに基づいて、ネットワーク機器は、ＰＤＣＣＨ１のスクランブル系列を構成するためのＧｏｌｄ系列を初期化して、ＰＤＣＣＨ１のスクランブル系列を得る。その後、ネットワーク機器は、ＵＥ１に送信されるＤＣＩ（ＤＣＩ１と表記する）をＰＤＣＣＨ１のスクランブル系列でスクランブルする。
【０１９１】
ネットワーク機器がＵＥ１に対して設定されたこのＣＯＲＥＳＥＴには、このＰＤＣＣＨ１に加えて、他のＰＤＣＣＨ、例えば別のＵＥ（ＵＥ２と表記する）にＤＣＩを送信するためのＰＤＣＣＨ２が存在し、このＰＤＣＣＨ２によって伝送されるＤＣＩ（ＤＣＩ２と表記する）は、ｄａｔａ２＋ＣＲＣ２であり、且つＤＣＩ２は、上記スクランブル識別及びＲＮＴＩ２に従って、上記式に従ってＰＤＣＣＨ２のスクランブル系列を生成すると仮定する。
【０１９２】
そして、ＵＥ１は、ＣＯＲＥＳＥＴにおいてＰＤＣＣＨ１をブラインド検出する場合、ＵＥが自分のＰＤＣＣＨ１を受信すると、前記スクランブル識別とＲＮＴＩ１に基づいて、ＰＤＣＣＨ１のスクランブル系列を上記式に従って生成し、スクランブルされたＤＣＩ１に対するデスクランブルに成功する。
【０１９３】
ここで、スクランブルされたＤＣＩ１を復調するために用いられるＤＭＲＳ系列は、例えば、式ｃｉｎｉｔＤＭＲＳ＝ｎＩＤに従って算出されたｃｉｎｉｔＤＭＲＳに基づいて生成される。
【０１９４】
ＵＥ１は、更に、デスクランブルされたＤＣＩ１に対してＣＲＣ検査を行い、ＤＣＩ１におけるｄａｔａは、ＣＲＣ検査に成功して、受信が完了する。
【０１９５】
一方、ＵＥ１がＵＥ２のＰＤＣＣＨ２をブラインド検出した場合、ＵＥ１のＲＮＴＩ１とＵＥ２のＲＮＴＩ２との違いにより、ＵＥ１が生成するスクランブル系列がＤＣＩ２をスクランブルするためのスクランブル系列と異なる。そのため、ＵＥ１は、スクランブルされたＤＣＩ２のデスクランブルに成功することができず、受信失敗と判断する。
【０１９６】
なお、関連技術によれば、ＤＣＩ全体をスクランブルするのではなく、ＣＲＣのみをスクランブルし、スクランブルされたＣＲＣがＤＣＩの下位１６ビットに位置するので、ＣＲＣをデスクランブルする場合、ＵＥは、ＤＣＩを全て復号し終えてから、ＤＣＩがＣＲＣ検査に成功するか否かを判断できるようになる。完全に復号すると、受信遅延が大きくなる。
【０１９７】
本開示の実施例の方式では、Ｇｏｌｄ系列に基づいてスクランブル系列が生成されるため、スクランブル系列の長さは、ＤＣＩの長さと一致する。よって、スクランブルされたＤＣＩの下位１６ビットにおけるＣＲＣのためのＲＮＴＩの情報は、ＤＣＩの下位１６ビットから、ＤＣＩの長さと一致し、例えばＤＣＩのビット数Ｍと同じＭビットになる。これにより、ＲＮＴＩの情報がＭビットを有するという作用をもたらす。
【０１９８】
従って、スクランブルされたＤＣＩを、端末が誤ったスクランブル系列を用いてデスクランブルする場合、デスクランブルエラーのビットは、関連技術の下位１６ビットから、下位１６ビットの前に「前倒し」されることに相当する。一旦デスクランブルエラーが発見されると、ＵＥは、ＤＣＩをすべて復号済みにすることなく、前もって復号を終了する。このように、本開示の実施例による「二重スクランブル」を用いることにより、関連技術のように全て復号し終わってからＣＲＣ検査成功か否かの判断ができるようになる場合に比べて、受信遅延を少なくすることができる。
【０１９９】
本願の実施例は、図５に示すネットワーク機器５００を提供する。このネットワーク機器は、所定のアプリケーションシナリオ及び／又は上位層指示情報に基づいて決定される第１パラメータに基づいてスクランブル系列を生成するための系列生成ユニット５０１と、生成されたスクランブル系列で下り制御情報ＤＣＩをスクランブルするためのスクランブルユニット５０２と、スクランブルされた前記ＤＣＩを端末機器に送信するための送信ユニット５０３とを含む。
【０２００】
選択可能に、一部の実施例において、前記第１パラメータは、無線ネットワーク一時識別ＲＮＴＩを含む。
【０２０１】
選択可能に、一部の実施例において、スクランブル識別が設定されている場合、前記第１パラメータは、前記スクランブル識別を更に含む。
【０２０２】
選択可能に、一部の実施例において、系列生成ユニット５０１は、具体的には、下記式［２６］と式［２７］の１つに従ってｃｉｎｉｔｓｃｒａｍｂｌｅを算出することと、算出したｃｉｎｉｔｓｃｒａｍｂｌｅから前記スクランブル系列を生成することとに用いられる。
【式２６】
【０２０３】
2021510258.tif 000034
【式２７】
【０２０４】
2021510258.tif 000035
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤは、前記スクランブル識別を示す。
【０２０５】
選択可能に、一部の実施例において、第１パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【０２０６】
選択可能に、一部の実施例において、前記第１パラメータが前記ＣＯＲＥＳＥＴ識別を含む場合、系列生成ユニット５０１は、具体的には、下記式［２８］に従ってｃｉｎｉｔｓｃｒａｍｂｌｅを算出することと、算出したｃｉｎｉｔｓｃｒａｍｂｌｅから前記スクランブル系列を生成することとに用いられる。
【式２８】
【０２０７】
2021510258.tif 000036
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＣＯＲＥＳＥＴは、前記ＣＯＲＥＳＥＴ識別を示し、ｎＩＤは、前記スクランブル識別を示す。
【０２０８】
選択可能に、一部の実施例において、前記第１パラメータが前記ｓｅａｒｃｈ  ｓｐａｃｅ識別を含む場合、系列生成ユニット５０１は、具体的には、下記式［２９］に従ってｃｉｎｉｔｓｃｒａｍｂｌｅを算出することと、算出したｃｉｎｉｔｓｃｒａｍｂｌｅから前記スクランブル系列を生成することとに用いられる。
【式２９】
【０２０９】
2021510258.tif 000037
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＳＳは、前記ｓｅａｒｃｈ  ｓｐａｃｅ識別を示し、ｎＩＤは、前記スクランブル識別を示す。
【０２１０】
選択可能に、一部の実施例において、前記第１パラメータが前記スロットの無線フレーム内又は無線サブフレーム内のインデックスと前記ＯＦＤＭシンボルのインデックスを含む場合、系列生成ユニット５０１は、具体的には、下記式［３０］に従ってｃｉｎｉｔｓｃｒａｍｂｌｅを算出することと、算出したｃｉｎｉｔｓｃｒａｍｂｌｅから前記スクランブル系列を生成することとに用いられる。
【式３０】
【０２１１】
2021510258.tif 000038
ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す。
【０２１２】
選択可能に、一部の実施例において、前記第１パラメータは、前記ＤＣＩの時間領域情報と、前記端末機器が在圏するセルの物理セル識別ＰＣＩとを更に含む。
【０２１３】
選択可能に、一部の実施例において、第１パラメータに基づいてスクランブル系列を生成するための系列生成ユニット５０１は、具体的には、下記式［３１］に従ってｃｉｎｉｔｓｃｒａｍｂｌｅを算出することと、算出したｃｉｎｉｔｓｃｒａｍｂｌｅから前記スクランブル系列を生成することとに用いられる。
【式３１】
【０２１４】
2021510258.tif 000039
ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記ＤＣＩを送信するためのスロットの無線フレーム内又は無線サブフレーム内のインデックスを示し、ｌは、前記ＤＣＩを送信するためのＯＦＤＭシンボルのインデックスを示し、ＮＩＤｃｅｌｌは、前記ＰＣＩを示す。
【０２１５】
選択可能に、一部の実施例において、系列生成ユニット５０１は、更に、所定のアプリケーションシナリオ及び／又は上位層指示情報に基づいて決定される第２パラメータに基づいて復調参照信号ＤＭＲＳ系列を生成することに用いられる。送信ユニット５０３は、更に、前記ＤＭＲＳ系列を用いて前記端末機器にデータを送信することに用いられる。
【０２１６】
選択可能に、一部の実施例において、スクランブル識別が設定されている場合、前記第２パラメータは、前記スクランブル識別を含む。
【０２１７】
選択可能に、一部の実施例において、系列生成ユニット５０１は、具体的には、下記式［３２］に従ってｃｉｎｉｔＤＭＲＳを算出することと、算出したｃｉｎｉｔＤＭＲＳから前記ＤＭＲＳ系列を生成することとに用いられる。
【式３２】
【０２１８】
2021510258.tif 000040
ここで、ｃｉｎｉｔＤＭＲＳは、前記ＤＭＲＳ系列を初期化するための２進数を示し、ｎＩＤは、前記スクランブル識別を示す。
【０２１９】
選択可能に、一部の実施例において、前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【０２２０】
選択可能に、一部の実施例において、前記第２パラメータが前記ＣＯＲＥＳＥＴ識別を含む場合、系列生成ユニット５０１は、具体的には、下記式［３３］に従ってｃｉｎｉｔＤＭＲＳを算出することと、算出したｃｉｎｉｔＤＭＲＳから前記ＤＭＲＳ系列を生成することとに用いられる。
【式３３】
【０２２１】
2021510258.tif 000041
ここで、ｃｉｎｉｔＤＭＲＳは、前記ＤＭＲＳ系列を初期化するための２進数を示し、ｎＩＤＣＯＲＥＳＥＴは、前記ＣＯＲＥＳＥＴ識別を示し、ｎＩＤは、前記スクランブル識別を示す。
【０２２２】
選択可能に、一部の実施例において、前記第２パラメータが前記ｓｅａｒｃｈ  ｓｐａｃｅ識別を含む場合、系列生成ユニット５０１は、具体的には、下記式［３４］に従ってｃｉｎｉｔＤＭＲＳを算出することに用いられる。
【式３４】
【０２２３】
2021510258.tif 000042
ここで、ｃｉｎｉｔＤＭＲＳは、前記ＤＭＲＳ系列を初期化するための２進数を示し、ｎＩＤＳＳは、前記ＯＦＤＭシンボルのインデックスを示し、ｎＩＤは、前記スクランブル識別を示す。
【０２２４】
選択可能に、一部の実施例において、前記第２パラメータが前記インデックスと前記ＯＦＤＭシンボルのインデックスを含む場合、系列生成ユニット５０１は、具体的には、下記式［３５］に従ってｃｉｎｉｔＤＭＲＳを算出することに用いられる。
【式３５】
【０２２５】
2021510258.tif 000043
ここで、ｃｉｎｉｔＤＭＲＳは、前記ＤＭＲＳ系列を初期化するための２進数を示し、ｎＲＮＴＩは、前記ＲＮＴＩを示し、ｎｓは、前記インデックスを示し、ｌは、前記ＯＦＤＭシンボルのインデックスを示し、ｎＩＤは、前記スクランブル識別を示す。
【０２２６】
選択可能に、一部の実施例において、前記第２パラメータは、具体的には、ＰＣＩとＤＭＲＳの時間領域情報を含む。
【０２２７】
選択可能に、一部の実施例において、系列生成ユニット５０１は、具体的には、下記式［３６］に従ってｃｉｎｉｔＤＭＲＳを算出することと、算出したｃｉｎｉｔＤＭＲＳから前記ＤＭＲＳ系列を生成することとに用いられる。
【式３６】
【０２２８】
2021510258.tif 000044
ここで、ｃｉｎｉｔＤＭＲＳは、前記ＤＭＲＳ系列を初期化するための２進数を示し、ｎｓは、前記ＤＣＩを送信するためのスロットの無線フレーム内又は無線サブフレーム内のインデックスを示し、ｌは、前記ＤＭＲＳ系列を送信するための所定のＯＦＤＭシンボルのインデックスを示し、ＮＩＤｃｅｌｌは、前記ＰＣＩを示す。
【０２２９】
選択可能に、一部の実施例において、送信ユニット５０３は、更に、前記第２パラメータを前記端末機器に送信することに用いられる。
【０２３０】
選択可能に、一部の実施例において、送信ユニット５０３は、更に、前記第１パラメータを決定するための第１パラメータ指示情報を前記端末機器に送信することに用いられる。前記第１パラメータ指示情報は、前記所定のシナリオ及び／又は前記上位層指示情報に基づいて決定される。
【０２３１】
選択可能に、一部の実施例において、前記所定のシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含み、前記上位層指示情報は、具体的には、バンド許可タイプ、スクランブル識別が設定されるか否か、スクランブル識別が設定されている場合の少なくとも１つの前記第１パラメータ、スクランブル識別が設定されない場合の少なくとも１つの前記第１パラメータの少なくとも１つを含む。
【０２３２】
選択可能に、一部の実施例において、前記第１パラメータは、前記第１パラメータのうちの少なくとも１つが、前記上位層指示情報によってセルに基づいて設定される設定方式、前記第１パラメータのうち少なくとも１つが、前記上位層指示情報によって搬送波に基づいて設定される設定方式、前記第１パラメータのうち少なくとも１つが、前記上位層指示情報によって帯域幅タイプに基づいて設定される設定方式、前記第１パラメータのうちの少なくとも１つが、前記上位層指示情報によってＣＯＲＥＳＥＴに基づいて設定される方式の少なくとも一つの設定方式を満たす。
【０２３３】
本願の実施例は、図６に示すネットワーク機器６００を提供する。このネットワーク機器は、所定のアプリケーションシナリオ及び／又は上位層指示情報に基づいて決定される第２パラメータに基づいて復調参照信号ＤＭＲＳ系列を生成するための系列生成ユニット６０１と、前記ＤＭＲＳ系列を用いて前記端末機器にデータを送信するための送信ユニット６０２とを含む。
【０２３４】
選択可能に、一部の実施例において、スクランブル識別が設定されている場合、前記第２パラメータは、前記スクランブル識別を含む。
【０２３５】
選択可能に、一部の実施例において、系列生成ユニット６０１は、具体的には、下記式［３７］に従ってｃｉｎｉｔＤＭＲＳを算出することに用いられる。
【式３７】
【０２３６】
2021510258.tif 000045
ここで、ｃｉｎｉｔＤＭＲＳは、前記ＤＭＲＳ系列を初期化するための２進数を示し、ｎＩＤは、前記スクランブル識別を示す。
【０２３７】
選択可能に、一部の実施例において、前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【０２３８】
選択可能に、一部の実施例において、前記第２パラメータが前記ＣＯＲＥＳＥＴ識別を含む場合、系列生成ユニット６０１は、具体的には、下記式［３８］に従ってｃｉｎｉｔＤＭＲＳを算出することと、算出したｃｉｎｉｔＤＭＲＳから前記ＤＭＲＳ系列を生成することとに用いられる。
【式３８】
【０２３９】
2021510258.tif 000046
ここで、ｃｉｎｉｔＤＭＲＳは、前記ＤＭＲＳ系列を初期化するための２進数を示し、ｎＩＤＣＯＲＥＳＥＴは、前記ＣＯＲＥＳＥＴ識別を示し、ｎＩＤは、前記スクランブル識別を示す。
【０２４０】
選択可能に、一部の実施例において、前記第２パラメータが前記ｓｅａｒｃｈ  ｓｐａｃｅ識別を含む場合、系列生成ユニット６０１は、具体的には、下記式［３９］に従ってｃｉｎｉｔＤＭＲＳを算出することに用いられる。
【式３９】
【０２４１】
2021510258.tif 000047
ここで、ｃｉｎｉｔＤＭＲＳは、前記ＤＭＲＳ系列を初期化するための２進数を示し、ｎＩＤＳＳは、前記ＯＦＤＭシンボルのインデックスを示し、ｎＩＤは、前記スクランブル識別を示す。
【０２４２】
選択可能に、一部の実施例において、前記第２パラメータが前記スロットの無線フレーム内又は無線サブフレーム内のインデックスと前記ＯＦＤＭシンボルのインデックスを含む場合、系列生成ユニット６０１は、具体的には、下記式［４０］に従ってｃｉｎｉｔＤＭＲＳを算出することに用いられる。
【式４０】
【０２４３】
2021510258.tif 000048
ここで、ｃｉｎｉｔＤＭＲＳは、前記ＤＭＲＳ系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す。
【０２４４】
選択可能に、一部の実施例において、前記第２パラメータは、ＰＣＩとＤＭＲＳの時間領域情報を含む。
【０２４５】
選択可能に、一部の実施例において、系列生成ユニット６０１は、具体的には、下記式［４１］に従ってｃｉｎｉｔＤＭＲＳを算出することと、算出したｃｉｎｉｔＤＭＲＳから前記ＤＭＲＳ系列を生成することとに用いられる。
【式４１】
【０２４６】
2021510258.tif 000049
ここで、ｃｉｎｉｔＤＭＲＳは、前記ＤＭＲＳ系列を初期化するための２進数を示し、ｎｓは、前記ＤＣＩを送信するためのスロットの無線フレーム内又は無線サブフレーム内のインデックスを示し、ｌは、前記ＤＭＲＳ系列を送信するための所定のＯＦＤＭシンボルのインデックスを示し、ＮＩＤｃｅｌｌは、前記ＰＣＩを示す。
【０２４７】
選択可能に、一部の実施例において、前記送信ユニット６０２は、更に、前記第２パラメータを前記端末機器に送信することに用いられる。
【０２４８】
選択可能に、一部の実施例において、前記所定のシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含み、前記上位層指示情報は、具体的には、バンド許可タイプ、スクランブル識別が設定されるか否か、スクランブル識別が設定されている場合の少なくとも１つの前記第１パラメータ、スクランブル識別が設定されない場合の少なくとも１つの前記第１パラメータの少なくとも１つを含む。
【０２４９】
本願の実施例は、図７に示す端末７００を提供する。この端末機器は、所定のアプリケーションシナリオ又はネットワーク機器の指示情報に基づいて決定される第１パラメータに基づいてスクランブル系列を生成するための系列生成ユニット７０１と、受信したスクランブルされた下り制御情報ＤＣＩを、生成されたスクランブル系列でデスクランブルするためのデスクランブルユニット７０２とを含む。
【０２５０】
選択可能に、一部の実施例において、前記第１パラメータは、無線ネットワーク一時識別ＲＮＴＩを含む。
【０２５１】
選択可能に、一部の実施例において、スクランブル識別が設定されている場合、前記第１パラメータは、前記スクランブル識別を更に含む。
【０２５２】
選択可能に、一部の実施例において、系列生成ユニット７０１は、具体的には、下記式［４２］と式［４３］の１つに従ってｃｉｎｉｔｓｃｒａｍｂｌｅを算出することと、算出したｃｉｎｉｔｓｃｒａｍｂｌｅから前記スクランブル系列を生成することとに用いられる。
【式４２】
【０２５３】
2021510258.tif 000050
【式４３】
【０２５４】
2021510258.tif 000051
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤは、前記スクランブル識別を示す。
【０２５５】
選択可能に、一部の実施例において、第１パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【０２５６】
選択可能に、一部の実施例において、前記第１パラメータが前記ＣＯＲＥＳＥＴ識別を含む場合、系列生成ユニット７０１は、下記式［４４］に従ってｃｉｎｉｔｓｃｒａｍｂｌｅを算出することと、算出したｃｉｎｉｔｓｃｒａｍｂｌｅから前記スクランブル系列を生成することとに用いられる。
【式４４】
【０２５７】
2021510258.tif 000052
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＣＯＲＥＳＥＴは、前記ＣＯＲＥＳＥＴ識別を示し、ｎＩＤは、前記スクランブル識別を示す。
【０２５８】
選択可能に、一部の実施例において、前記第１パラメータが前記ｓｅａｒｃｈ  ｓｐａｃｅ識別を含む場合、系列生成ユニット７０１は、下記式［４５］に従ってｃｉｎｉｔｓｃｒａｍｂｌｅを算出することと、算出したｃｉｎｉｔｓｃｒａｍｂｌｅから前記スクランブル系列を生成することとに用いられる。
【式４５】
【０２５９】
2021510258.tif 000053
ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＳＳは、前記ｓｅａｒｃｈ  ｓｐａｃｅ識別を示し、ｎＩＤは、前記スクランブル識別を示す。
【０２６０】
選択可能に、一部の実施例において、前記第１パラメータが前記スロットの無線フレーム内又は無線サブフレーム内のインデックスと前記ＯＦＤＭシンボルのインデックスを含む場合、系列生成ユニット７０１は、具体的には、下記式［４６］に従ってｃｉｎｉｔｓｃｒａｍｂｌｅを算出することと、算出したｃｉｎｉｔｓｃｒａｍｂｌｅから前記スクランブル系列を生成することとに用いられる。
【式４６】
【０２６１】
2021510258.tif 000054
ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す。
【０２６２】
選択可能に、一部の実施例において、前記第１パラメータは、前記ＤＣＩの時間領域情報と、前記端末機器が在圏するセルの物理セル識別ＰＣＩとを更に含む。
【０２６３】
選択可能に、一部の実施例において、系列生成ユニット７０１は、具体的には、下記式［４７］に従ってｃｉｎｉｔｓｃｒａｍｂｌｅを算出することと、算出したｃｉｎｉｔｓｃｒａｍｂｌｅから前記スクランブル系列を生成することとに用いられる。
【式４７】
【０２６４】
2021510258.tif 000055
ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記ＤＣＩを送信するためのスロットの無線フレーム内又は無線サブフレーム内のインデックスを示し、ｌは、前記ＤＣＩを送信するためのＯＦＤＭシンボルのインデックスを示し、ＮＩＤｃｅｌｌは、前記ＰＣＩを示す。
【０２６５】
選択可能に、一部の実施例において、系列生成ユニット７０１は、所定のアプリケーションシナリオ又はネットワーク機器の指示情報に基づいて決定される第２パラメータに基づいて復調参照信号ＤＭＲＳ系列を生成することに用いられる。この端末機器は、受信したデータ信号を前記ＤＭＲＳ系列で復調し、前記スクランブルされたＤＣＩを得るためのデスクランブルユニットを更に含む。
【０２６６】
選択可能に、一部の実施例において、スクランブル識別が設定されている場合、前記第２パラメータは、具体的には、前記スクランブル識別を含む。
【０２６７】
選択可能に、一部の実施例において、系列生成ユニット７０１は、具体的には、下記式［４８］に従ってｃｉｎｉｔＤＭＲＳを算出することに用いられる。
【式４８】
【０２６８】
2021510258.tif 000056
ここで、ｃｉｎｉｔＤＭＲＳは、前記ＤＭＲＳ系列を初期化するための２進数を示し、ｎＩＤは、前記スクランブル識別を示す。
【０２６９】
選択可能に、一部の実施例において、前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【０２７０】
選択可能に、一部の実施例において、前記第２パラメータが前記ＣＯＲＥＳＥＴ識別を含む場合、系列生成ユニット７０１は、具体的には、下記式［４９］に従ってｃｉｎｉｔＤＭＲＳを算出することと、算出したｃｉｎｉｔＤＭＲＳから前記ＤＭＲＳ系列を生成することとに用いられる。
【式４９】
【０２７１】
2021510258.tif 000057
ここで、ｃｉｎｉｔＤＭＲＳは、前記ＤＭＲＳ系列を初期化するための２進数を示し、ｎＩＤＣＯＲＥＳＥＴは、前記ＣＯＲＥＳＥＴ識別を示し、ｎＩＤは、前記スクランブル識別を示す。
【０２７２】
選択可能に、一部の実施例において、前記第２パラメータが前記ｓｅａｒｃｈ  ｓｐａｃｅ識別を含む場合、系列生成ユニット７０１は、具体的には、下記式［５０］に従ってｃｉｎｉｔＤＭＲＳを算出することに用いられる。
【式５０】
【０２７３】
2021510258.tif 000058
ここで、ｃｉｎｉｔＤＭＲＳは、前記ＤＭＲＳ系列を初期化するための２進数を示し、ｎＩＤＳＳは、前記ＯＦＤＭシンボルのインデックスを示し、ｎＩＤは、前記スクランブル識別を示す。
【０２７４】
選択可能に、一部の実施例において、前記第２パラメータが前記インデックスと前記ＯＦＤＭシンボルのインデックスを含む場合、系列生成ユニット７０１は、具体的には、下記式［５１］に従ってｃｉｎｉｔＤＭＲＳを算出することに用いられる。
【式５１】
【０２７５】
2021510258.tif 000059
ここで、ｃｉｎｉｔＤＭＲＳは、前記ＤＭＲＳ系列を初期化するための２進数を示し、ｎＲＮＴＩは、前記ＲＮＴＩを示し、ｎｓは、前記インデックスを示し、ｌは、前記ＯＦＤＭシンボルのインデックスを示し、ｎＩＤは、前記スクランブル識別を示す。
【０２７６】
選択可能に、一部の実施例において、前記第２パラメータは、具体的には、ＰＣＩとＤＭＲＳの時間領域情報を含む。
【０２７７】
選択可能に、一部の実施例において、系列生成ユニット７０１は、具体的には、下記式［５２］に従ってｃｉｎｉｔＤＭＲＳを算出することと、算出したｃｉｎｉｔＤＭＲＳから前記ＤＭＲＳ系列を生成することとに用いられる。
【式５２】
【０２７８】
2021510258.tif 000060
ここで、ｃｉｎｉｔＤＭＲＳは、前記ＤＭＲＳ系列を初期化するための２進数を示し、ｎｓは、前記ＤＣＩを送信するためのスロットの無線フレーム内又は無線サブフレーム内のインデックスを示し、ｌは、前記ＤＭＲＳ系列を送信するための所定のＯＦＤＭシンボルのインデックスを示し、ＮＩＤｃｅｌｌは、前記ＰＣＩを示す。
【０２７９】
選択可能に、一部の実施例において、前記第１パラメータがネットワーク機器の指示情報に基づいて決定される場合、この端末機器は、前記第２パラメータを含む指示情報をネットワーク機器から受信するための受信ユニットを更に含む。
【０２８０】
選択可能に、一部の実施例において、前記所定のシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含む。
【０２８１】
選択可能に、一部の実施例において、前記第１パラメータは、前記第１パラメータのうちの少なくとも１つが、前記上位層指示情報によってセルに基づいて設定される設定方式、前記第１パラメータのうち少なくとも１つが、前記上位層指示情報によって搬送波に基づいて設定される設定方式、前記第１パラメータのうち少なくとも１つが、前記上位層指示情報によって帯域幅タイプに基づいて設定される設定方式、前記第１パラメータのうちの少なくとも１つが、前記上位層指示情報によってＣＯＲＥＳＥＴに基づいて設定される方式の少なくとも一つの設定方式を満たす。
【０２８２】
本願の実施例は、図８に示す端末機器８００を提供する。この端末機器は、所定のアプリケーションシナリオ又はネットワーク機器の指示情報に基づいて決定される第２パラメータに基づいて復調参照信号ＤＭＲＳ系列を生成するための系列生成ユニット８０１と、受信したデータ信号を前記ＤＭＲＳ系列で復調して、前記スクランブルされたＤＣＩを得るための復調ユニット８０２とを含む。
【０２８３】
選択可能に、一部の実施例において、スクランブル識別が設定されている場合、前記第２パラメータは、具体的には、前記スクランブル識別を含む。
【０２８４】
選択可能に、一部の実施例において、系列生成ユニット８０１は、具体的には、下記式［５３］に従ってｃｉｎｉｔＤＭＲＳを算出することに用いられる。
【式５３】
【０２８５】
2021510258.tif 000061
ここで、ｃｉｎｉｔＤＭＲＳは、前記ＤＭＲＳ系列を初期化するための２進数を示し、ｎＩＤは、前記スクランブル識別を示す。
【０２８６】
選択可能に、一部の実施例において、前記第２パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む。
【０２８７】
選択可能に、一部の実施例において、前記第２パラメータが前記ＣＯＲＥＳＥＴ識別を含む場合、系列生成ユニット８０１は、具体的には、下記式［５４］に従ってｃｉｎｉｔＤＭＲＳを算出することと、算出したｃｉｎｉｔＤＭＲＳから前記ＤＭＲＳ系列を生成することとに用いられる。
【式５４】
【０２８８】
2021510258.tif 000062
ここで、ｃｉｎｉｔＤＭＲＳは、前記ＤＭＲＳ系列を初期化するための２進数を示し、ｎＩＤＣＯＲＥＳＥＴは、前記ＣＯＲＥＳＥＴ識別を示し、ｎＩＤは、前記スクランブル識別を示す。
【０２８９】
選択可能に、一部の実施例において、前記第２パラメータが前記ｓｅａｒｃｈ  ｓｐａｃｅ識別を含む場合、系列生成ユニット８０１は、具体的には、下記式［５５］に従ってｃｉｎｉｔＤＭＲＳを算出することに用いられる。
【式５５】
【０２９０】
2021510258.tif 000063
ここで、ｃｉｎｉｔＤＭＲＳは、前記ＤＭＲＳ系列を初期化するための２進数を示し、ｎＩＤＳＳは、前記ＯＦＤＭシンボルのインデックスを示し、ｎＩＤは、前記スクランブル識別を示す。
【０２９１】
選択可能に、一部の実施例において、前記第２パラメータが前記スロットの無線フレーム内又は無線サブフレーム内のインデックスと前記ＯＦＤＭシンボルのインデックスを含む場合、系列生成ユニット８０１は、具体的には、下記式［５６］に従ってｃｉｎｉｔＤＭＲＳを算出することに用いられる。
【式５６】
【０２９２】
2021510258.tif 000064
ここで、ｃｉｎｉｔＤＭＲＳは、前記ＤＭＲＳ系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す。
【０２９３】
選択可能に、一部の実施例において、前記第２パラメータは、具体的には、ＰＣＩとＤＭＲＳの時間領域情報を含む。
【０２９４】
選択可能に、一部の実施例において、系列生成ユニット８０１は、具体的には、下記式［５７］に従ってｃｉｎｉｔＤＭＲＳを算出することと、算出したｃｉｎｉｔＤＭＲＳから前記ＤＭＲＳ系列を生成することとに用いられる。
【式５７】
【０２９５】
2021510258.tif 000065
ここで、ｃｉｎｉｔＤＭＲＳは、前記ＤＭＲＳ系列を初期化するための２進数を示し、ｎｓは、前記ＤＣＩを送信するためのスロットの無線フレーム内又は無線サブフレーム内のインデックスを示し、ｌは、前記ＤＭＲＳ系列を送信するための所定のＯＦＤＭシンボルのインデックスを示し、ＮＩＤｃｅｌｌは、前記ＰＣＩを示す。
【０２９６】
選択可能に、一部の実施例において、前記第２パラメータがネットワーク機器の指示情報に基づいて決定される場合、この端末機器８００は、系列生成ユニット８０１が第２パラメータに基づいて前記ＤＭＲＳ系列を生成する前に、前記第２パラメータを前記指示情報を前記ネットワーク機器から受信するための受信ユニットを更に含む。
【０２９７】
選択可能に、一部の実施例において、前記所定のシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含む。
【０２９８】
図９を参照する。図９は、本開示の実施例に応用されるネットワーク機器の構造図である。このネットワーク機器は、図２に示す実施例の方法の詳細を実現可能であり、同一の効果を奏することもできる。図９に示すように、ネットワーク機器９００は、プロセッサ９０１と、トランシーバ９０２と、メモリ９０３と、ユーザインタフェース９０４と、バスインタフェースとを含む。本開示の実施例において、ネットワーク機器９００は、メモリ９０３に記憶されてプロセッサ９０１で動作するコンピュータプログラムを更に含む。コンピュータプログラムがプロセッサ９０１によって実行されると、所定のアプリケーションシナリオ及び／又は上位層指示情報に基づいて決定される第１パラメータに基づいてスクランブル系列を生成するステップと、生成されたスクランブル系列でＤＣＩをスクランブルするステップと、スクランブルされたこのＤＣＩを端末機器に送信するステップとが実現される。
【０２９９】
図９において、バスアーキテクチャは、任意数の相互接続するバスとブリッジを含み、具体的に、プロセッサ９０１をはじめとする１つ又は複数のプロセッサとメモリ９０３をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ９０２は、複数の部品であってもよく、即ち送信機と受信機を含み、伝送媒体で他の各種類の機器と通信するユニットとして提供される。ユーザ端末によっては、ユーザインタフェース９０４は、内部接続や外部接続する機器のインタフェースであってもよい。接続する機器は、キーパッド、ディスプレイ、スピーカ、マイクロフォン、ジョイスティックなどを含むが、それらに限られない。
【０３００】
プロセッサ９０１は、バスアーキテクチャと通常の処理を管理する。メモリ９０３は、プロセッサ９０１による操作実行時に使用されるデータを記憶できる。
【０３０１】
ネットワーク機器９００は、前記図２に示す実施例のネットワーク機器によって実現される各プロセスを実現可能であり、重複を避けるために、ここでは繰り返して記載しない。
【０３０２】
本開示の実施例は、コンピュータプログラムが記憶されているコンピュータ読み取り可能な記憶媒体を更に提供する。このコンピュータプログラムがプロセッサによって実行されると、上記図２の方法の実施例の各プロセスが実現され、且つ同一の技術効果を奏することができるので、重複を避けるために、ここでは繰り返して記載しない。ここで、前記コンピュータ読み取り可能な記憶媒体は、例えば、リードオンリーメモリＲＯＭ（Ｒｅａｄ  Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０３０３】
図１０を参照する。図１０は、本開示の実施例に応用されるネットワーク機器の構造図である。このネットワーク機器は、図２に示す実施例の方法の詳細を実現可能であり、同一の効果を奏することもできる。図１０に示すように、ネットワーク機器１０００は、プロセッサ１００１と、トランシーバ１００２と、メモリ１００３と、ユーザインタフェース１００４と、バスインタフェースとを含む。本開示の実施例において、ネットワーク機器１０００は、メモリ１００３に記憶されてプロセッサ１００１で動作するコンピュータプログラムを更に含む。コンピュータプログラムがプロセッサ１００１によって実行されると、所定のアプリケーションシナリオ及び／又は上位層指示情報に基づいて決定される第２パラメータに基づいて復調参照信号ＤＭＲＳ系列を生成するステップと、このＤＭＲＳ系列を用いてこの端末機器にデータを送信するステップとが実現される。
【０３０４】
図１０において、バスアーキテクチャは、任意数の相互接続するバスとブリッジを含み、具体的に、プロセッサ１００１をはじめとする１つ又は複数のプロセッサとメモリ１００３をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ１００２は、複数の部品であってもよく、即ち送信機と受信機を含み、伝送媒体で他の各種類の装置と通信するユニットとして提供される。ユーザ端末によっては、ユーザインタフェース１００４は、内部接続や外部接続する機器のインタフェースであってもよい。接続する機器は、キーパッド、ディスプレイ、スピーカ、マイクロフォン、ジョイスティックなどを含むが、それらに限られない。
【０３０５】
プロセッサ１００１は、バスアーキテクチャと通常の処理を管理する。メモリ１００３は、プロセッサ１００１による操作実行時に使用されるデータを記憶できる。
【０３０６】
ネットワーク機器１０００は、前記図２に示す実施例のネットワーク機器によって実現される各プロセスを実現可能であり、重複を避けるために、ここでは繰り返して記載しない。
【０３０７】
本開示の実施例は、コンピュータプログラムが記憶されているコンピュータ読み取り可能な記憶媒体を更に提供する。このコンピュータプログラムがプロセッサによって実行されると、上記図２の方法の実施例の各プロセスが実現され、且つ同一の技術効果を奏することができるので、重複を避けるために、ここでは繰り返して記載しない。ここで、前記コンピュータ読み取り可能な記憶媒体は、例えば、リードオンリーメモリＲＯＭ（Ｒｅａｄ  Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０３０８】
図１１は、本開示の他の実施例の端末機器のブロック図である。図１１に示す端末機器１１００は、少なくとも１つのプロセッサ１１０１と、メモリ１１０２と、少なくとも１つのネットワークインタフェース１１０４と、ユーザインタフェース１１０３を含む。端末１１００における各構成部品は、バスシステム１１０１１を介して結合される。バスシステム１１０１１は、これらの構成部品の間の接続と通信に用いられることが理解できる。バスシステム１１０１１は、データバスの他に、電源バス、制御バス及び状態信号バスを更に含む。ただし、明確に説明するために、図１１において、各種類のバスをすべてバスシステム１１０１１として表記している。
【０３０９】
ここで、ユーザインタフェース１１０３は、ディスプレイ、キーボード又はポインティングデバイス（例えばマウス、トラックボール（ｔｒａｃｋ  ｂａｌｌ））、タッチパネル又はタッチスクリーンなどを含む。
【０３１０】
本開示の実施例におけるメモリ１１０２は、揮発性メモリ又は非揮発性メモリであり、又は、揮発性メモリと非揮発性メモリの両方を含む。非揮発性メモリは、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１１０２は、これらに限られず、これら及びこれら以外の任意の適合する種類のメモリを含むとする。
【０３１１】
一部実施例において、メモリ１１０２には、実行可能なモジュール又はデータ構造、又はそれらのサブセット、又は、それらの拡張セットであるオペレーションシステム１１０２１とアプリケーションプログラム１１０２２が記憶されている。
【０３１２】
ここで、オペレーションシステム１１０２１は、フレーム層、コアライブラリ層、駆動層など各種類のシステムプログラムを含み、各種類のベーシックサービスの実現及びハードウェアに基づくタスクの処理に用いられる。アプリケーションプログラ１１０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１１０２２に含まれる。
【０３１３】
本開示の実施例において、端末機器１１００は、メモリ１１０２に記憶されてプロセッサ１１０１で動作するコンピュータプログラムを更に含む。コンピュータプログラムがプロセッサ１１０１によって実行されると、所定のアプリケーションシナリオ又はネットワーク機器の指示情報に基づいて決定される第１パラメータに基づいてスクランブル系列を生成するステップと、受信したスクランブルされたＤＣＩを、生成されたスクランブル系列でデスクランブルするステップとが実現される。
【０３１４】
上記の本開示の図３に示す実施例に開示される方法は、プロセッサ１１０１に応用可能であり、又はプロセッサ１１０１によって実現される。プロセッサ１１０１は、信号処理能力を有するＩＣチップである。実現プロセスにおいて、上記方法の各ステップは、プロセッサ１１０１におけるハードウェアの集積論理回路又はソフトウェア形式の指令によって遂行される。上記プロセッサ１１０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知の記憶媒体に位置する。当該記憶媒体は、メモリ１１０２に位置する。プロセッサ１１０１は、メモリ１１０２における情報を読み取って、そのハードウェアと組み合わせて上記方法のステップを遂行する。具体的に、当該コンピュータ読み取り可能な記憶媒体にはコンピュータプログラムが記憶されており、コンピュータプログラムがプロセッサ１１０１によって実行されると、上記図３に示す方法の実施例の各ステップが実現される。
【０３１５】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０３１６】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０３１７】
端末機器１１００は、前記図３に示す実施例の端末機器によって実現される各プロセスを実現可能であり、重複を避けるために、ここでは繰り返して記載しない。
【０３１８】
選択可能に、本開示の実施例は、プロセッサ１１１０と、メモリ１１０２と、メモリ１１０２に記憶されて前記プロセッサ１１１０で動作するコンピュータプログラムを含む端末機器を更に提供する。このコンピュータプログラムがプロセッサ１１１０によって実行されると、上記図３の方法の実施例の各プロセスが実現され、且つ同一の技術効果を奏することができるので、重複を避けるために、ここでは繰り返して記載しない。
【０３１９】
本開示の実施例は、コンピュータプログラムが記憶されているコンピュータ読み取り可能な記憶媒体を更に提供する。このコンピュータプログラムがプロセッサによって実行されると、上記図３の方法の実施例の各プロセスが実現され、且つ同一の技術効果を奏することができるので、重複を避けるために、ここでは繰り返して記載しない。ここで、前記コンピュータ読み取り可能な記憶媒体は、例えば、リードオンリーメモリＲＯＭ（Ｒｅａｄ  Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０３２０】
図１２は、本開示の他の実施例の端末機器のブロック図である。図１２に示す端末機器１１００は、少なくとも１つのプロセッサ１１０１と、メモリ１１０２と、少なくとも１つのネットワークインタフェース１１０４と、ユーザインタフェース１１０３を含む。端末１１００における各構成部品は、バスシステム１１０１１を介して結合される。バスシステム１１０１１は、これらの構成部品の間の接続と通信に用いられることが理解できる。バスシステム１１０１１は、データバスの他に、電源バス、制御バス及び状態信号バスを更に含む。ただし、明確に説明するために、図１２において、各種類のバスをすべてバスシステム１１０１１として表記している。
【０３２１】
ここで、ユーザインタフェース１１０３は、ディスプレイ、キーボード又はポインティングデバイス（例えばマウス、トラックボール（ｔｒａｃｋ  ｂａｌｌ））、タッチパネル又はタッチスクリーンなどを含む。
【０３２２】
本開示の実施例におけるメモリ１１０２は、揮発性メモリ又は非揮発性メモリであり、又は、揮発性メモリと非揮発性メモリの両方を含む。非揮発性メモリは、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１１０２は、これらに限られず、これら及びこれら以外の任意の適合する種類のメモリを含むとする。
【０３２３】
一部実施例において、メモリ１１０２には、実行可能なモジュール又はデータ構造、又はそれらのサブセット、又は、それらの拡張セットであるオペレーションシステム１１０２１とアプリケーションプログラム１１０２２が記憶されている。
【０３２４】
ここで、オペレーションシステム１１０２１は、フレーム層、コアライブラリ層、駆動層など各種類のシステムプログラムを含み、各種類のベーシックサービスの実現及びハードウェアに基づくタスクの処理に用いられる。アプリケーションプログラ１１０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１１０２２に含まれる。
【０３２５】
本開示の実施例において、端末機器１１００は、メモリ１１０２に記憶されてプロセッサ１１０１で動作するコンピュータプログラムを更に含む。コンピュータプログラムがプロセッサ１１０１によって実行されると、所定のアプリケーションシナリオ又はネットワーク機器の指示情報に基づいて決定される第２パラメータに基づいて復調参照信号ＤＭＲＳ系列を生成するステップと、受信したデータ信号を前記ＤＭＲＳ系列で復調して、スクランブルされたＤＣＩを得るステップとが実現される。
【０３２６】
上記の本開示の図４に示す実施例に開示される方法は、プロセッサ１１０１に応用可能であり、又はプロセッサ１１０１によって実現される。プロセッサ１１０１は、信号処理能力を有するＩＣチップである。実現プロセスにおいて、上記方法の各ステップは、プロセッサ１１０１におけるハードウェアの集積論理回路又はソフトウェア形式の指令によって遂行される。上記プロセッサ１１０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知の記憶媒体に位置する。当該記憶媒体は、メモリ１１０２に位置する。プロセッサ１１０１は、メモリ１１０２における情報を読み取って、そのハードウェアと組み合わせて上記方法のステップを遂行する。具体的に、当該コンピュータ読み取り可能な記憶媒体にはコンピュータプログラムが記憶されており、コンピュータプログラムがプロセッサ１１０１によって実行されると、上記図４に示す方法の実施例の各ステップが実現される。
【０３２７】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０３２８】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０３２９】
端末機器１１００は、前記図４に示す実施例の端末機器によって実現される各プロセスを実現可能であり、重複を避けるために、ここでは繰り返して記載しない。
【０３３０】
選択可能に、本開示の実施例は、プロセッサ１１１０と、メモリ１１０２と、メモリ１１０２に記憶されて前記プロセッサ１１１０で動作するコンピュータプログラムを含む端末機器を更に提供する。このコンピュータプログラムがプロセッサ１１１０によって実行されると、上記図４の方法の実施例の各プロセスが実現され、且つ同一の技術効果を奏することができるので、重複を避けるために、ここでは繰り返して記載しない。
【０３３１】
本開示の実施例は、コンピュータプログラムが記憶されているコンピュータ読み取り可能な記憶媒体を更に提供する。このコンピュータプログラムがプロセッサによって実行されると、上記図４の方法の実施例の各プロセスが実現され、且つ同一の技術効果を奏することができるので、重複を避けるために、ここでは繰り返して記載しない。ここで、前記コンピュータ読み取り可能な記憶媒体は、例えば、リードオンリーメモリＲＯＭ（Ｒｅａｄ  Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０３３２】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０３３３】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の移動端末（携帯電話、コンピュータ、サーバー、空調機又はネットワークデバイスなど）に実行させるいくつかの指令を含む。
【０３３４】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021510258.tif 000080
【図２】
2021510258.tif 000081
【図３】
2021510258.tif 000082
【図４】
2021510258.tif 000083
【図５】
2021510258.tif 000084
【図６】
2021510258.tif 000085
【図７】
2021510258.tif 000086
【図８】
2021510258.tif 000087
【図９】
2021510258.tif 000088
【図１０】
2021510258.tif 000089
【図１１】
2021510258.tif 000090
【図１２】
2021510258.tif 000091
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
ネットワーク機器に応用されるデータ伝送方法において、
所定のアプリケーションシナリオ及び／又は上位層指示情報に基づいて決定される第１パラメータに基づいてスクランブル系列を生成することと、
生成されたスクランブル系列で下り制御情報ＤＣＩをスクランブルすることと、
スクランブルされた前記ＤＣＩを端末機器に送信することとを含み、
前記第１パラメータは、無線ネットワーク一時識別ＲＮＴＩを含み、
スクランブル識別が設定されている場合、前記第１パラメータは、前記スクランブル識別を更に含む、データ伝送方法。
【請求項２】
第１パラメータに基づいてスクランブル系列を生成することは、
2021510258.tif 000092
（ここで、ｃｉｎｉｔｓｃｒａｍｂｌｅは、前記スクランブル系列を初期化するための２進数を示し、ｎＲＮＴＩは、前記ＲＮＴＩを示し、前記ｎＩＤは、前記スクランブル識別を示す）の１つに従ってｃｉｎｉｔｓｃｒａｍｂｌｅを算出することと、
算出したｃｉｎｉｔｓｃｒａｍｂｌｅから前記スクランブル系列を生成することとを含む、請求項１に記載のデータ伝送方法。
【請求項３】
第１パラメータは、物理上り制御チャネルＰＵＣＣＨリソースが位置する制御リソースセットＣＯＲＥＳＥＴ識別、前記ＤＣＩが存在する探索空間ｓｅａｒｃｈ  ｓｐａｃｅ識別、前記ＤＣＩを送信するためのスロットの無線フレーム内又は無線サブフレーム内のインデックス、前記ＤＣＩを送信するためのＯＦＤＭシンボルのインデックスのうちの少なくとも１つを更に含む、請求項１に記載のデータ伝送方法。
【請求項４】
前記第１パラメータが前記ＣＯＲＥＳＥＴ識別を含む場合、第１パラメータに基づいてスクランブル系列を生成することは、
2021510258.tif 000093
（ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＣＯＲＥＳＥＴは、前記ＣＯＲＥＳＥＴ識別を示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３に記載のデータ伝送方法。
【請求項５】
前記第１パラメータが前記ｓｅａｒｃｈ  ｓｐａｃｅ識別を含む場合、
第１パラメータに基づいてスクランブル系列を生成することは、
2021510258.tif 000094
（ここで、ｃｉｎｉｔｓｃｒａｍｂｌｅは、前記スクランブル系列を初期化するための２進数を示し、ｎＲＮＴＩは、前記ＲＮＴＩを示し、ｎＩＤＳＳは、前記ｓｅａｒｃｈ  ｓｐａｃｅ識別を示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３に記載のデータ伝送方法。
【請求項６】
前記第１パラメータが前記スロットの無線フレーム内又は無線サブフレーム内のインデックスと前記ＯＦＤＭシンボルのインデックスを含む場合、第１パラメータに基づいてスクランブル系列を生成することは、
2021510258.tif 000095
（ここで、ｃｉｎｉｔｓｃｒａｍｂｌｅは、前記スクランブル系列を初期化するための２進数を示し、ｎＲＮＴＩは、前記ＲＮＴＩを示し、ｎｓは、前記スロットの無線フレーム内又は無線サブフレーム内のインデックスを示し、ｌは、前記ＯＦＤＭシンボルのインデックスを示し、ｎＩＤは、前記スクランブル識別を示す）に従ってｃｉｎｉｔｓｃｒａｍｂｌｅを算出することと、
算出したｃｉｎｉｔｓｃｒａｍｂｌｅから前記スクランブル系列を生成することとを含む、請求項３に記載のデータ伝送方法。
【請求項７】
所定のアプリケーションシナリオ及び／又は上位層指示情報に基づいて決定される第２パラメータに基づいて復調参照信号ＤＭＲＳ系列を生成することと、
前記ＤＭＲＳ系列を用いて前記端末機器にデータを送信することとを更に含み、
スクランブル識別が設定されている場合、前記第２パラメータは、前記スクランブル識別を含む、請求項１〜６のいずれか１項に記載のデータ伝送方法。
【請求項８】
前記所定のアプリケーションシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含み、
前記上位層指示情報は、具体的には、バンド許可タイプ、スクランブル識別が設定されるか否か、スクランブル識別が設定されている場合の少なくとも１つの前記第１パラメータ、スクランブル識別が設定されない場合の少なくとも１つの前記第１パラメータの少なくとも１つを含む、請求項１〜７のいずれか１項に記載のデータ伝送方法。
【請求項９】
端末機器に応用されるデスクランブル方法において、
所定のアプリケーションシナリオ又はネットワーク機器の指示情報に基づいて決定される第１パラメータに基づいてスクランブル系列を生成することと、
受信したスクランブルされた下り制御情報ＤＣＩを、生成されたスクランブル系列でデスクランブルすることとを含み、
前記第１パラメータは、無線ネットワーク一時識別ＲＮＴＩを含み、
スクランブル識別が設定されている場合、前記第１パラメータは、前記スクランブル識別を更に含む、デスクランブル方法。
【請求項１０】
第１パラメータに基づいてスクランブル系列を生成することは、
2021510258.tif 000096
（ここで、ｃｉｎｉｔｓｃｒａｍｂｌｅは、前記スクランブル系列を初期化するための２進数を示し、ｎＲＮＴＩは、前記ＲＮＴＩを示し、前記ｎＩＤは、前記スクランブル識別を示す）の１つに従ってｃｉｎｉｔｓｃｒａｍｂｌｅを算出することと、
算出したｃｉｎｉｔｓｃｒａｍｂｌｅから前記スクランブル系列を生成することとを含む、請求項９に記載のデスクランブル方法。
【請求項１１】
所定のアプリケーションシナリオ及び／又は上位層指示情報に基づいて決定される第１パラメータに基づいてスクランブル系列を生成するための系列生成ユニットと、
生成されたスクランブル系列で下り制御情報ＤＣＩをスクランブルするためのスクランブルユニットと、
スクランブルされた前記ＤＣＩを端末機器に送信するための送信ユニットとを含み、
前記第１パラメータは、無線ネットワーク一時識別ＲＮＴＩを含み、
スクランブル識別が設定されている場合、前記第１パラメータは、前記スクランブル識別を更に含む、ネットワーク機器。
【請求項１２】
第１パラメータに基づいてスクランブル系列を生成することは、
2021510258.tif 000097
（ここで、ｃｉｎｉｔｓｃｒａｍｂｌｅは、前記スクランブル系列を初期化するための２進数を示し、ｎＲＮＴＩは、前記ＲＮＴＩを示し、前記ｎＩＤは、前記スクランブル識別を示す）の１つに従ってｃｉｎｉｔｓｃｒａｍｂｌｅを算出することと、
算出したｃｉｎｉｔｓｃｒａｍｂｌｅから前記スクランブル系列を生成することとを含む、請求項１１に記載のネットワーク機器。
【請求項１３】
前記所定のアプリケーションシナリオは、具体的には、ＤＣＩが許可バンドで送信されるシナリオ、ＤＣＩが無許可バンドで送信されるシナリオ、第１パラメータがスクランブル識別を含むシナリオ、第１パラメータがスクランブル識別を含まないシナリオの少なくとも１つを含み、
前記上位層指示情報は、具体的には、バンド許可タイプ、スクランブル識別が設定されるか否か、スクランブル識別が設定されている場合の少なくとも１つの前記第１パラメータ、スクランブル識別が設定されない場合の少なくとも１つの前記第１パラメータの少なくとも１つを含む、請求項１１または１２に記載のネットワーク機器。
【請求項１４】
所定のアプリケーションシナリオ又はネットワーク機器の指示情報に基づいて決定される第１パラメータに基づいてスクランブル系列を生成するための生成ユニットと、
受信したスクランブルされた下り制御情報ＤＣＩを、生成されたスクランブル系列でデスクランブルするためのデスクランブルユニットとを含み、
前記第１パラメータは、無線ネットワーク一時識別ＲＮＴＩを含み、
スクランブル識別が設定されている場合、前記第１パラメータは、前記スクランブル識別を更に含む、端末機器。
【請求項１５】
第１パラメータに基づいてスクランブル系列を生成することは、
2021510258.tif 000098
（ここで、ｃｉｎｉｔｓｃｒａｍｂｌｅは、前記スクランブル系列を初期化するための２進数を示し、ｎＲＮＴＩは、前記ＲＮＴＩを示し、前記ｎＩＤは、前記スクランブル識別を示す）の１つに従ってｃｉｎｉｔｓｃｒａｍｂｌｅを算出することと、
算出したｃｉｎｉｔｓｃｒａｍｂｌｅから前記スクランブル系列を生成することとを含む、請求項１４に記載の端末機器。
【国際調査報告】
2021510258.tif 000099
2021510258.tif 000100
2021510258.tif 000101
2021510258.tif 000102